(57)【要約】本発明の実施形態は、接続解放方法及び装置を提供する。本発明における接続解放方法は、第１アクセスネットワークデバイスによって第１メッセージを生成し、第１メッセージは、端末デバイスのための接続解放情報と、検証情報とを有し、検証情報は、接続解放情報が有効であるかどうかを確かめるために使用され、接続解放情報は、接続を解放するように端末デバイスに指示するために使用される、ことと、第１アクセスネットワークデバイスによって第１メッセージを第２アクセスネットワークデバイスへ送ることとを含む。本発明の実施形態によれば、端末デバイスの接続は、安全に且つ速やかに解放され得る。
2020505878.tif 000002
【特許請求の範囲】
【請求項１】
接続解放方法であって、
第１アクセスネットワークデバイスによって第１メッセージを生成し、該第１メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記第１アクセスネットワークデバイスによって前記第１メッセージを第２アクセスネットワークデバイスへ送ることと
を有する方法。
【請求項２】
当該方法は、前記第１アクセスネットワークデバイスによって軽接続モード設定メッセージを前記端末デバイスへ送ることを更に有し、
前記軽接続モード設定メッセージは、識別情報及びページングエリア情報を有し、前記識別情報は、前記端末デバイスの識別情報と、前記第１アクセスネットワークデバイスの識別情報とを有する、
請求項１に記載の方法。
【請求項３】
当該方法は、前記第１アクセスネットワークデバイスによって、前記第２アクセスネットワークデバイスによって送られたコンテクスト情報要求メッセージを受けることを更に有し、
前記第１アクセスネットワークデバイスによって前記第１メッセージを第２アクセスネットワークデバイスへ送ることは、前記第１アクセスネットワークデバイスによってコンテクスト情報応答メッセージを前記第２アクセスネットワークデバイスへ送ることを有し、
前記コンテクスト情報応答メッセージが、前記接続解放情報及び前記検証情報を有する、
請求項１又は２に記載の方法。
【請求項４】
前記第１メッセージは、フィードバック指示情報を更に有し、該フィードバック指示情報は、前記接続解放情報が受け取られるかどうかを前記第２アクセスネットワークデバイスへフィードバックするように前記端末デバイスに指示するために使用される、
請求項１又は２に記載の方法。
【請求項５】
前記第１アクセスネットワークデバイスによって前記第１メッセージを第２アクセスネットワークデバイスへ送ることは、前記第１アクセスネットワークデバイスによってページングメッセージを前記第２アクセスネットワークデバイスへ送ることを有し、
前記ページングメッセージが、前記接続解放情報及び前記検証情報を有する、
請求項１に記載の方法。
【請求項６】
接続解放方法であって、
第２アクセスネットワークデバイスによって、第１アクセスネットワークデバイスによって送られた第１メッセージを受けることと、
第２アクセスネットワークデバイスによって第２メッセージを生成し、該第２メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記第２アクセスネットワークデバイスによって前記第２メッセージを前記端末デバイスへ送ることと
を有する方法。
【請求項７】
当該方法は、
前記第２アクセスネットワークデバイスによって、前記端末デバイスによって送られた無線リソース制御ＲＲＣ接続回復要求メッセージを受けることと、
前記第２アクセスネットワークデバイスによって、前記ＲＲＣ接続回復要求メッセージに基づき、コンテクスト情報要求メッセージを前記第１アクセスネットワークデバイスへ送ることと
を更に有し、
第２アクセスネットワークデバイスによって、第１アクセスネットワークデバイスによって送られた第１メッセージを受けることは、前記第２アクセスネットワークデバイスによって、前記第１アクセスネットワークデバイスによって送られたコンテクスト情報応答メッセージを受けることを有し、
前記コンテクスト情報応答メッセージが、前記接続解放情報及び前記検証情報を有する、
請求項６に記載の方法。
【請求項８】
当該方法第２メッセージは、フィードバック指示情報を更に有し、該フィードバック指示情報は、前記接続解放情報が受け取られるかどうかをフィードバックするように前記端末デバイスに指示するために使用される、
請求項６に記載の方法。
【請求項９】
前記第２アクセスネットワークデバイスによって前記第２メッセージを前記端末デバイスへ送ることは、前記第２アクセスネットワークデバイスによってページングメッセージを前記端末デバイスへ送ることを有し、
前記ページングメッセージが、前記接続解放情報、前記検証情報、及び前記フィードバック指示情報を有する、
請求項８に記載の方法。
【請求項１０】
接続解放方法であって、
端末デバイスによって、第２アクセスネットワークデバイスによって送られた第２メッセージを受け、該第２メッセージは、前記端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記端末デバイスによって、前記検証情報に基づき、前記接続解放情報が有効であるかどうかを判定することと
を有する方法。
【請求項１１】
当該方法は、前記接続解放情報が有効である場合に、前記端末デバイスによって前記接続を解放することを更に有する、
請求項１０に記載の方法。
【請求項１２】
前記第２メッセージは、フィードバック指示情報を更に有し、
当該方法は、前記端末デバイスによって、前記接続解放情報が受け取られるかどうかを、前記フィードバック指示情報に基づき前記第２アクセスネットワークデバイスへフィードバックすることを更に有する、
請求項１０又は１１に記載の方法。
【請求項１３】
端末デバイスによって、第２アクセスネットワークデバイスによって送られた第２メッセージを受けることは、前記端末デバイスによって、前記第２アクセスネットワークデバイスによって送られたページングメッセージを受けることを有し、
前記ページングメッセージが、前記接続解放情報及び前記検証情報を有する、
請求項１１に記載の方法。
【請求項１４】
接続解放方法であって、
端末デバイスによって、第２アクセスネットワークデバイスによって送られた第２メッセージを受け、該第２メッセージは、前記端末デバイスのための接続解放情報と、フィードバック指示情報とを有する、ことと、
前記端末デバイスによって、前記接続解放情報が受け取られるかどうかを、前記フィードバック指示情報に基づき前記第２アクセスネットワークデバイスへフィードバックすることと
を有する方法。
【請求項１５】
端末デバイスによって、第２アクセスネットワークデバイスによって送られた第２メッセージを受けることは、前記端末デバイスによって、前記第２アクセスネットワークデバイスによって送られたページングメッセージを受けることを有し、
前記ページングメッセージが、前記接続解放情報及び前記フィードバック指示情報を有する、
請求項１４に記載の方法。
【請求項１６】
アクセスネットワークデバイスであって、
第１メッセージを生成するよう構成されるプロセッサであり、前記第１メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、前記プロセッサと、
前記第１メッセージを第２アクセスネットワークデバイスへ送るよう構成される送信器と
を有するアクセスネットワークデバイス。
【請求項１７】
前記送信器は更に、軽接続モード設定メッセージを前記端末デバイスへ送るよう構成され、
前記軽接続モード設定メッセージは、識別情報及びページングエリア情報を有し、前記識別情報は、前記端末デバイスの識別情報と、前記第１アクセスネットワークデバイスの識別情報とを有する、
請求項１６に記載のアクセスネットワークデバイス。
【請求項１８】
当該アクセスネットワークデバイスは、受信器を更に有し、
前記受信器は、前記第２アクセスネットワークデバイスによって送られたコンテクスト情報要求メッセージを受けるよう構成され、
前記送信器は特に、コンテクスト情報応答メッセージを前記第２アクセスネットワークデバイスへ送るよう構成され、
前記コンテクスト情報応答メッセージが、前記接続解放情報及び前記検証情報を有する、
請求項１６又は１７に記載のアクセスネットワークデバイス。
【請求項１９】
前記第１メッセージは、フィードバック指示情報を更に有し、該フィードバック指示情報は、前記接続解放情報が受け取られるかどうかを前記第２アクセスネットワークデバイスへフィードバックするように前記端末デバイスに指示するために使用される、
請求項１６又は１７に記載のアクセスネットワークデバイス。
【請求項２０】
前記送信器は特に、ページングメッセージを前記第２アクセスネットワークデバイスへ送るよう構成され、
前記ページングメッセージが、前記接続解放情報及び前記検証情報を有する、
請求項１６に記載のアクセスネットワークデバイス。
【請求項２１】
アクセスネットワークデバイスであって、
第１アクセスネットワークデバイスによって送られた第１メッセージを受けるよう構成される受信器と、
第２メッセージを生成するよう構成されるプロセッサであり、前記第２メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、前記プロセッサと、
前記第２メッセージを前記端末デバイスへ送るよう構成される送信器と
を有するアクセスネットワークデバイス。
【請求項２２】
前記受信器は更に、前記端末デバイスによって送られた無線リソース制御ＲＲＣ接続回復要求メッセージを受けるよう構成され、
前記プロセッサは更に、前記ＲＲＣ接続回復要求メッセージに基づき、コンテクスト情報要求メッセージを、前記送信器を使用することによって前記第１アクセスネットワークデバイスへ送るよう構成され、
前記受信器は特に、前記第１アクセスネットワークデバイスによって送られたコンテクスト情報応答メッセージを受けるよう構成され、
前記コンテクスト情報応答メッセージが、前記接続解放情報及び前記検証情報を有する、
請求項２１に記載のアクセスネットワークデバイス。
【請求項２３】
前記第２メッセージは、フィードバック指示情報を更に有し、該フィードバック指示情報は、前記接続解放情報が受け取られるかどうかをフィードバックするように前記端末デバイスに指示するために使用される、
請求項２１に記載のアクセスネットワークデバイス。
【請求項２４】
前記送信器は特に、ページングメッセージを前記端末デバイスへ送るよう構成され、
前記ページングメッセージが、前記接続解放情報、前記検証情報、及び前記フィードバック指示情報を有する、
請求項２３に記載のアクセスネットワークデバイス。
【請求項２５】
端末デバイスであって、
第２アクセスネットワークデバイスによって送られた第２メッセージを受けるよう構成される受信器であり、前記第２メッセージは、当該端末デバイスのための接続解放情報と、検証情報とを有し、該検証情報は、前記接続解放情報が有効であるかどうかを確かめるために使用され、前記接続解放情報は、接続を解放するように当該端末デバイスに指示するために使用される、前記受信器と、
前記検証情報に基づき、前記接続解放情報が有効であるかどうかを判定するよう構成されるプロセッサと
を有する端末デバイス。
【請求項２６】
前記プロセッサは更に、前記接続解放情報が有効である場合に、当該端末デバイスのために前記接続を解放するよう構成される、
請求項２５に記載の端末デバイス。
【請求項２７】
前記第２メッセージは、フィードバック指示情報を更に有し、
前記プロセッサは更に、前記接続解放情報が受け取られるかどうかを、前記送信器を使用することによって前記フィードバック指示情報に基づき前記第２アクセスネットワークデバイスへフィードバックするよう構成される、
請求項２５又は２６に記載の端末デバイス。
【請求項２８】
前記受信器は特に、前記第２アクセスネットワークデバイスによって送られたページングメッセージを受けるよう構成され、
前記ページングメッセージが、前記接続解放情報及び前記検証情報を有する、
請求項２５に記載の端末デバイス。
【請求項２９】
端末デバイスであって、
第２アクセスネットワークデバイスによって送られた第２メッセージを受けるよう構成される受信器であり、前記第２メッセージは、当該端末デバイスのための接続解放情報と、フィードバック指示情報とを有する、前記受信器と、
前記接続解放情報が受け取られるかどうかを、前記送信器を使用することによって前記フィードバック指示情報に基づき前記第２アクセスネットワークデバイスへフィードバックするよう構成されるプロセッサと
を有する端末デバイス。
【請求項３０】
前記受信器は特に、前記第２アクセスネットワークデバイスによって送られたページングメッセージを受けるよう構成され、
前記ページングメッセージが、前記接続解放情報及び前記フィードバック指示情報を有する、
請求項２９に記載の端末デバイス。
【発明の詳細な説明】
【技術分野】
【０００１】
本発明の実施形態は、通信技術に、特に、接続解放方法及び装置に関係がある。
【背景技術】
【０００２】
コア・ネットワーク（CoreNet，ＣＮ）デバイスによって送信された解放要求をアンカーｅＮＢ（Anchor  eNB）が受信する場合に、又はアンカーｅＮＢがＵＥを解放すると決定する場合に、アンカーｅＮＢはページング（Paging）メッセージをＵＥへ送信する。ページングエリアがｅＮＢのカバレッジエリア外である場合には、アンカーｅＮＢはページングエリア内の他のｅＮＢへもページング（Paging）メッセージを送信し、それにより、他のｅＮＢがページング（Paging）メッセージをＵＥへ送信する。ＵＥがページング応答をｅＮＢの１つへフィードバックする場合には、ページング応答を受信するｅＮＢは、ＵＥのサービングｅＮＢ（Serving  ｅＮＢ）として働き、ＵＥのコンテクストをアンカーｅＮＢに要求し、次いで、サービングｅＮＢはパス切替メッセージをＣＮデバイスへ送信し、ＣＮデバイスは解放要求メッセージをサービングｅＮＢへ送信し、次いで、サービングｅＮＢは、ＵＥのコア・ネットワークインターフェイスを解放するよう解放命令をＵＥへ送信する。
【０００３】
上記のプロセスでは、ＵＥを解放するために、ＵＥによって送信されたページング応答を受信するｅＮＢは、ＵＥのコンテクスト（context）をアンカーｅＮＢから取得し、ＵＥのＳ１インターフェイスをサービングｅＮＢへハンドオーバする必要があり、更には、ＵＥのために無線リソース制御（Radio  Resource  Control，ＲＲＣ）接続を回復し、次いで解放命令をＵＥへ送信する必要もある。結果として、コア・ネットワークデバイス又はアンカーｅＮＢがＵＥのＲＲＣ接続を解放するには、比較的長い時間がかかる。
【発明の概要】
【０００４】
本発明の実施形態は、端末デバイスの接続を安全に且つ速やかに解放するよう、接続解放方法及び装置を提供する。
【０００５】
第１の態様によれば、本発明の実施形態は、第１アクセスネットワークデバイスによって第１メッセージを生成し、該第１メッセージは、端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、ことと、前記第１アクセスネットワークデバイスによって前記第１メッセージを第２アクセスネットワークデバイスへ送ることとを含む接続解放方法を提供する。
【０００６】
第１の態様を参照して、第１の態様の可能な実施において、当該方法は、前記第１アクセスネットワークデバイスによって軽接続モード設定メッセージを前記端末デバイスへ送ることを更に含み、前記軽接続モード設定メッセージは、識別情報及びページングエリア情報を含み、前記識別情報は、前記端末デバイスの識別情報と、前記第１アクセスネットワークデバイスの識別情報とを含む。
【０００７】
第１の態様又は第１の態様の可能な実施を参照して、第１の態様の他の可能な実施において、当該方法は、前記第１アクセスネットワークデバイスによって、前記第２アクセスネットワークデバイスによって送られたコンテクスト情報要求メッセージを受けることを更に含み、前記第１アクセスネットワークデバイスによって前記第１メッセージを第２アクセスネットワークデバイスへ送ることは、前記第１アクセスネットワークデバイスによってコンテクスト情報応答メッセージを前記第２アクセスネットワークデバイスへ送ることを含み、前記コンテクスト情報応答メッセージが前記接続解放情報及び前記検証情報を含む。
【０００８】
第１の態様又は第１の態様の可能な実施を参照して、第１の態様の他の可能な実施において、前記第１メッセージはフィードバック指示情報を更に含み、該フィードバック指示情報は、前記接続解放情報が受け取られるかどうかを前記第２アクセスネットワークデバイスへフィードバックするように前記端末デバイスに指示するために使用される。
【０００９】
第１の態様又は第１の態様の可能な実施を参照して、第１の態様の他の可能な実施において、前記第１アクセスネットワークデバイスによって前記第１メッセージを第２アクセスネットワークデバイスへ送ることは、前記第１アクセスネットワークデバイスによってページングメッセージを前記第２アクセスネットワークデバイスへ送ることを含み、前記ページングメッセージが前記接続解放情報及び前記検証情報を含む。
【００１０】
第２の態様によれば、本発明の実施形態は、第１アクセスネットワークデバイスによって第１メッセージを生成し、該第１メッセージは、端末デバイスのための接続解放情報と、フィードバック指示情報とを含み、該フィードバック指示情報は、前記接続解放情報が受け取られるかどうかを前記第２アクセスネットワークデバイスへフィードバックするように前記端末デバイスに指示するために使用され、前記接続解放情報は、接続を解放するように前記端末デバイスに指示するために使用される、ことと、前記第１アクセスネットワークデバイスによって前記第１メッセージを前記第２アクセスネットワークデバイスへ送ることとを含む接続解放方法を提供する。
【００１１】
第２の態様を参照して、第２の態様の可能な実施において、前記第１メッセージは検証情報を更に含み、該検証情報は、前記接続解放情報が有効であるかどうかを確かめるために使用される。
【００１２】
第３の態様によれば、本発明の実施形態は、第２アクセスネットワークデバイスによって、第１アクセスネットワークデバイスによって送られた第１メッセージを受けることと、第２アクセスネットワークデバイスによって第２メッセージを生成し、該第２メッセージは、端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、ことと、前記第２アクセスネットワークデバイスによって前記第２メッセージを前記端末デバイスへ送ることとを含む接続解放方法を提供する。
【００１３】
第３の態様を参照して、第３の態様の可能な実施において、当該方法は、前記第２アクセスネットワークデバイスによって、前記端末デバイスによって送られた無線リソース制御ＲＲＣ接続回復要求メッセージを受けることと、前記第２アクセスネットワークデバイスによって、前記ＲＲＣ接続回復要求メッセージに基づき、コンテクスト情報要求メッセージを前記第１アクセスネットワークデバイスへ送ることとを更に含み、第２アクセスネットワークデバイスによって、第１アクセスネットワークデバイスによって送られた第１メッセージを受けることは、前記第２アクセスネットワークデバイスによって、前記第１アクセスネットワークデバイスによって送られたコンテクスト情報応答メッセージを受けることを含み、前記コンテクスト情報応答メッセージが前記接続解放情報及び前記検証情報を含む。
【００１４】
第３の態様及び第３の態様の可能な実施を参照して、第３の態様の他の可能な実施において、前記第２メッセージはフィードバック指示情報を更に含み、該フィードバック指示情報は、前記接続解放情報が受け取られるかどうかをフィードバックするように前記端末デバイスに指示するために使用される。
【００１５】
第３の態様又は第３の態様の可能な実施を参照して、第３の態様の他の可能な実施において、前記第２アクセスネットワークデバイスによって前記第２メッセージを前記端末デバイスへ送ることは、前記第２アクセスネットワークデバイスによってページングメッセージを前記端末デバイスへ送ることを含み、前記ページングメッセージが、前記接続解放情報、前記検証情報、及び前記フィードバック指示情報を含む。
【００１６】
第４の態様によれば、本発明の実施形態は、第２アクセスネットワークデバイスによって、第１アクセスネットワークデバイスによって送られた第１メッセージを受けることと、前記第２アクセスネットワークデバイスによって第２メッセージを生成し、該第２メッセージは、端末デバイスのための接続解放情報と、フィードバック指示情報とを含み、該フィードバック指示情報は、前記接続解放情報が受け取られるかどうかを前記第２アクセスネットワークデバイスへフィードバックするように前記端末デバイスに指示するために使用され、前記接続解放情報は、接続を解放するように前記端末デバイスに指示するために使用される、ことと、前記第２アクセスネットワークデバイスによって前記第２メッセージを前記端末デバイスへ送ることとを含む接続解放方法を提供する。
【００１７】
第４の態様を参照して、第４の態様の可能な実施において、前記第１メッセージは検証情報を更に含み、該検証情報は、前記接続解放情報が有効であるかどうかを確かめるために使用される。
【００１８】
第５の態様によれば、本発明の実施形態は、端末デバイスによって、第２アクセスネットワークデバイスによって送られた第２メッセージを受け、該第２メッセージは、前記端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、ことと、前記端末デバイスによって、前記検証情報に基づき、前記接続解放情報が有効であるかどうかを判定することとを含む接続解放方法を提供する。
【００１９】
第５の態様を参照して、第５の態様の可能な実施において、当該方法は、前記接続解放情報が有効である場合に、前記端末デバイスによって前記接続を解放することを更に含む。
【００２０】
第５の態様又は第５の態様の可能な実施を参照して、第５の態様の他の可能な実施において、前記第２メッセージはフィードバック指示情報を更に含み、当該方法は、前記端末デバイスによって、前記接続解放情報が受け取られるかどうかを、前記フィードバック指示情報に基づき前記第２アクセスネットワークデバイスへフィードバックすることを更に含む。
【００２１】
第５の態様又は第５の態様の可能な実施を参照して、第５の態様の他の可能な実施において、端末デバイスによって、第２アクセスネットワークデバイスによって送られた第２メッセージを受けることは、前記端末デバイスによって、前記第２アクセスネットワークデバイスによって送られたページングメッセージを受けることを含み、前記ページングメッセージが前記接続解放情報及び前記検証情報を含む。
【００２２】
第６の態様によれば、本発明の実施形態は、端末デバイスによって、第２アクセスネットワークデバイスによって送られた第２メッセージを受け、該第２メッセージは、前記端末デバイスのための接続解放情報と、フィードバック指示情報とを含む、ことと、前記端末デバイスによって、前記接続解放情報が受け取られるかどうかを、前記フィードバック指示情報に基づき前記第２アクセスネットワークデバイスへフィードバックすることとを含む接続解放方法を提供する。
【００２３】
第６の態様を参照して、第６の態様の可能な実施において、端末デバイスによって、第２アクセスネットワークデバイスによって送られた第２メッセージを受けることは、前記端末デバイスによって、前記第２アクセスネットワークデバイスによって送られたページングメッセージを受けることを含み、前記ページングメッセージが前記接続解放情報及び前記フィードバック指示情報を含む。
【００２４】
第６の態様又は第６の態様の可能な実施を参照して、第６の態様の他の可能な実施において、前記端末デバイスによって、前記接続解放情報が受け取られるかどうかを、前記フィードバック指示情報に基づき前記第２アクセスネットワークデバイスへフィードバックすることは、前記端末デバイスによって接続回復メッセージを前記第２アクセスネットワークデバイスへ送ることを含み、前記接続回復メッセージは、前記接続解放情報が受け取られるかどうかを前記第２アクセスネットワークデバイスへフィードバックするために使用される。
【００２５】
第６の態様又は第６の態様の可能な実施を参照して、第６の態様の他の可能な実施において、前記端末デバイスによって接続回復メッセージを前記第２アクセスネットワークデバイスへ送ることは、前記端末デバイスによって前記第２アクセスネットワークデバイスへ送られる前記接続回復メッセージが解放命令を搬送して、前記第２アクセスネットワークデバイスに対して、前記端末デバイスが前記接続解放情報を受け取ることを前記第２アクセスネットワークデバイスへフィードバックするために前記接続回復メッセージが使用されることを示すことを含む。
【００２６】
第７の態様によれば、本発明の実施形態は、アクセスネットワークデバイスであって、第１メッセージを生成するよう構成されるプロセッサであり、前記第１メッセージは、端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、前記プロセッサと、前記第１メッセージを第２アクセスネットワークデバイスへ送るよう構成される送信器とを含む前記アクセスネットワークデバイスを提供する。
【００２７】
第７の態様を参照して、第７の態様の可能な実施において、前記送信器は更に、軽接続モード設定メッセージを前記端末デバイスへ送るよう構成され、前記軽接続モード設定メッセージは、識別情報及びページングエリア情報を含み、前記識別情報は、前記端末デバイスの識別情報と、前記第１アクセスネットワークデバイスの識別情報とを含む。
【００２８】
第７の態様又は第７の態様の可能な実施を参照して、第７の態様の他の可能な実施において、当該アクセスネットワークデバイスは受信器を更に含み、該受信器は、前記第２アクセスネットワークデバイスによって送られたコンテクスト情報要求メッセージを受けるよう構成され、前記送信器は特に、コンテクスト情報応答メッセージを前記第２アクセスネットワークデバイスへ送るよう構成され、前記コンテクスト情報応答メッセージが前記接続解放情報及び前記検証情報を含む。
【００２９】
第７の態様又は第７の態様の可能な実施を参照して、第７の態様の他の可能な実施において、前記第１メッセージはフィードバック指示情報を更に含み、該フィードバック指示情報は、前記接続解放情報が受け取られるかどうかを前記第２アクセスネットワークデバイスへフィードバックするように前記端末デバイスに指示するために使用される。
【００３０】
第７の態様又は第７の態様の可能な実施を参照して、第７の態様の他の可能な実施において、前記送信器は特に、ページングメッセージを前記第２アクセスネットワークデバイスへ送るよう構成され、前記ページングメッセージが前記接続解放情報及び前記検証情報を含む。
【００３１】
第８の態様によれば、本発明の実施形態は、アクセスネットワークデバイスであって、第１メッセージを生成するよう構成されるプロセッサであり、前記第１メッセージは、端末デバイスのための接続解放情報と、フィードバック指示情報とを含み、該フィードバック指示情報は、前記接続解放情報が受け取られるかどうかを前記第２アクセスネットワークデバイスへフィードバックするように前記端末デバイスに指示するために使用され、前記接続解放情報は、接続を解放するように前記端末デバイスに指示するために使用される、前記プロセッサと、前記第１メッセージを前記第２アクセスネットワークデバイスへ送るよう構成される送信器とを含む前記アクセスネットワークデバイスを提供する。
【００３２】
第８の態様を参照して、第８の態様の可能な実施において、前記第１メッセージは検証情報を更に含み、該検証情報は、前記接続解放情報が有効であるかどうかを確かめるために使用される。
【００３３】
第９の態様によれば、本発明の実施形態は、アクセスネットワークデバイスであって、第１アクセスネットワークデバイスによって送られた第１メッセージを受けるよう構成される受信器と、第２メッセージを生成するよう構成されるプロセッサであり、前記第２メッセージは、端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、前記プロセッサと、前記第２メッセージを前記端末デバイスへ送るよう構成される送信器とを含む前記アクセスネットワークデバイスを提供する。
【００３４】
第９の態様を参照して、第９の態様の可能な実施において、前記受信器は更に、前記端末デバイスによって送られた無線リソース制御ＲＲＣ接続回復要求メッセージを受けるよう構成され、前記プロセッサは更に、前記ＲＲＣ接続回復要求メッセージに基づき、コンテクスト情報要求メッセージを、前記送信器を使用することによって前記第１アクセスネットワークデバイスへ送るよう構成され、前記受信器は特に、前記第１アクセスネットワークデバイスによって送られたコンテクスト情報応答メッセージを受けるよう構成され、前記コンテクスト情報応答メッセージが前記接続解放情報及び前記検証情報を含む。
【００３５】
第９の態様又は第９の態様の可能な実施を参照して、第９の態様の他の可能な実施において、前記第２メッセージはフィードバック指示情報を更に含み、該フィードバック指示情報は、前記接続解放情報が受け取られるかどうかをフィードバックするように前記端末デバイスに指示するために使用される。
【００３６】
第９の態様又は第９の態様の可能な実施を参照して、第９の態様の他の可能な実施において、前記送信器は特に、ページングメッセージを前記端末デバイスへ送るよう構成され、前記ページングメッセージが、前記接続解放情報、前記検証情報、及び前記フィードバック指示情報を含む。
【００３７】
第１０の態様によれば、本発明の実施形態は、アクセスネットワークデバイスであって、第１アクセスネットワークデバイスによって送られた第１メッセージを受けるよう構成される受信器と、第２メッセージを生成するよう構成されるプロセッサであり、前記第２メッセージは、端末デバイスのための接続解放情報と、フィードバック指示情報とを含み、該フィードバック指示情報は、前記接続解放情報が受け取られるかどうかを前記第２アクセスネットワークデバイスへフィードバックするように前記端末デバイスに指示するために使用され、前記接続解放情報は、接続を解放するように前記端末デバイスに指示するために使用される、前記プロセッサと、前記第２メッセージを前記端末デバイスへ送るよう構成される送信器とを含む前記アクセスネットワークデバイスを提供する。
【００３８】
第１０の態様を参照して、第１０の態様の可能な実施において、前記第１メッセージは検証情報を更に含み、該検証情報は、前記接続解放情報が有効であるかどうかを確かめるために使用される。
【００３９】
第１１の態様によれば、本発明の実施形態は、端末デバイスであって、第２アクセスネットワークデバイスによって送られた第２メッセージを受けるよう構成される受信器であり、前記第２メッセージは、当該端末デバイスのための接続解放情報と、検証情報とを含み、該検証情報は、前記接続解放情報が有効であるかどうかを確かめるために使用され、前記接続解放情報は、接続を解放するように当該端末デバイスに指示するために使用される、前記受信器と、前記検証情報に基づき、前記接続解放情報が有効であるかどうかを判定するよう構成されるプロセッサとを含む前記端末デバイスを提供する。
【００４０】
第１１の態様を参照して、第１１の態様の可能な実施において、前記プロセッサは更に、前記接続解放情報が有効である場合に、当該端末デバイスのために前記接続を解放するよう構成される。
【００４１】
第１１の態様又は第１１の態様の可能な実施を参照して、第１１の態様の他の可能な実施において、前記第２メッセージはフィードバック指示情報を更に含み、前記プロセッサは更に、前記接続解放情報が受け取られるかどうかを、前記送信器を使用することによって前記フィードバック指示情報に基づき前記第２アクセスネットワークデバイスへフィードバックするよう構成される。
【００４２】
第１１の態様又は第１１の態様の可能な実施を参照して、第１１の態様の他の可能な実施において、前記受信器は特に、前記第２アクセスネットワークデバイスによって送られたページングメッセージを受けるよう構成され、前記ページングメッセージが前記接続解放情報及び前記検証情報を含む。
【００４３】
第１２の態様によれば、本発明の実施形態は、端末デバイスであって、第２アクセスネットワークデバイスによって送られた第２メッセージを受けるよう構成される受信器であり、前記第２メッセージは、当該端末デバイスのための接続解放情報と、フィードバック指示情報とを含む、前記受信器と、前記接続解放情報が受け取られるかどうかを、送信器を使用することによって前記フィードバック指示情報に基づき前記第２アクセスネットワークデバイスへフィードバックするよう構成されるプロセッサとを含む前記端末デバイスを提供する。
【００４４】
第１２の態様を参照して、第１２の態様の可能な実施において、前記受信器は特に、前記第２アクセスネットワークデバイスによって送られたページングメッセージを受けるよう構成され、前記ページングメッセージが前記接続解放情報及び前記フィードバック指示情報を含む。
【００４５】
本発明の実施形態で提供される接続解放方法及び装置によれば、軽接続モードでの端末デバイスの接続が解放される必要がある場合に、第１アクセスネットワークデバイスは、端末デバイスのための接続解放情報と、検証情報とを含む第１メッセージを生成し、第１アクセスネットワークデバイスは第１メッセージを第２アクセスネットワークデバイスへ送信し、第２アクセスネットワークデバイスは、端末デバイスのための接続解放情報と、検証情報とを含む第２メッセージを生成し、第２アクセスネットワークデバイスは第２メッセージを端末デバイスへ送信し、端末デバイスは、検証情報に基づき、接続解放情報が有効であるかどうかを判定し、接続解放情報が有効である場合に、端末デバイスの接続は解放され、それにより、端末デバイスの接続は安全に且つ速やかに解放され得る。
【図面の簡単な説明】
【００４６】
本発明の実施形態の又は先行技術における技術的解決法をより明りょうに記載するよう、以下は、実施形態又は先行技術を記載するために必要とされる添付の図面について簡単に説明する。
【００４７】
【図１】本発明の実施形態に従う適用シナリオの概略図である。
【図２】本発明の実施形態に従う接続解放方法のフローチャートである。
【図３】本発明の他の実施形態に従う接続解放方法のフローチャートである。
【図４】本発明の更なる他の実施形態に従う接続解放方法のフローチャートである。
【図５】本発明の更なる他の実施形態に従う接続解放方法のフローチャートである。
【図６】本発明の更なる他の実施形態に従う接続解放方法のフローチャートである。
【図７】本発明の更なる他の実施形態に従う接続解放方法のフローチャートである。
【図８】本発明の実施形態に従うアクセスネットワークデバイスの略構造図である。
【図９】本発明の他の実施形態に従うアクセスネットワークデバイスの略構造図である。
【図１０】本発明の実施形態に従う端末デバイスの略構造図である。
【発明を実施するための形態】
【００４８】
本発明の実施形態の目的、技術的解決法、及び利点をより明りょうにするよう、以下は、本発明の実施形態における添付の図面を参照して、本発明の実施形態の技術的解決法について明りょうに且つ十分に説明する。
【００４９】
本発明の実施形態における「軽接続モード」は、端末デバイスのコア・ネットワークインターフェイス及び接続コンテクスト情報がＲＡＮデバイスにおいて保たれることを特に意味する。ＲＡＮデバイスは、端末デバイスのアンカーＲＡＮデバイスであり、アンカーＲＡＮデバイスは、軽接続モードにある端末デバイスに対してページングエリアを設定し得る。軽接続モードにある端末デバイスが、ページングエリア内で、端末デバイスが位置するセルを変更する場合に、例えば、端末デバイスが、測定を通じて、より良い信号品質を有するセルを得る場合に、端末デバイスは、ネットワーク側からのハンドオーバ命令なしで、セル再選択により、より良い信号品質でセル内の通信を行うことができる。
【００５０】
「軽接続モード」にある端末デバイスのコア・ネットワークインターフェイスは、アンカーＲＡＮデバイスに固定され、その場合に、端末デバイスは、セル再選択モビリティを実行し得る。端末デバイスは、所定のエリア（ページングエリア）内を移動する場合には基地局に通知する必要がないが、端末デバイスがページングエリア外へ出ると、端末デバイスの位置を基地局に通知する必要がある。そのようなプロセスは、ページングエリア更新（Paging  Area  Update）プロセスと呼ばれ得る。
【００５１】
「軽接続モード」は、不活動モード、失活モード、低活動モード、低オーバヘッドモード、ページングモード、などとも呼ばれ得る。軽接続モードは、ＲＲＣ接続モードの下位モード又はアイドル（Idle）モードの拡張されたモードであってよく、あるいは、独立したモードであってもよい。例えば、軽接続モードにある端末は、アイドルモードにありながら、接続設定に関連したコンテクスト情報を保持する場合や、あるいは、接続モードにありながら、セル再選択に基づくモビリティを実行することを許されている場合がある。
【００５２】
本発明の実施形態におけるページングエリアは、具体的に、端末デバイスのセルの組である。しかし、本発明の実施形態はそれに限られない。例えば、セルの組は、代替的に、端末デバイスの登録エリア、端末デバイスのアクセスネットワーク登録エリア、アクセスネットワーク追跡エリア、などと呼ばれることがある。
【００５３】
図１は、本発明の実施形態に従う適用シナリオの概略図である。図１に示されるように、この実施形態の適用シナリオは、コア・ネットワークデバイス、無線アクセスネットワーク（Radio  Access  NetWork，ＲＡＮ）デバイス、及び端末デバイスを含み得る。コア・ネットワークデバイスは、ＲＡＮデバイスを通じてモバイル端末への接続を確立する。
【００５４】
コア・ネットワークデバイスは、特に、異なるシステムにおける異なるデバイスに対応している。具体的に、コア・ネットワークデバイスは、４Ｇ  ＬＴＥ標準におけるＭＭＥ及び／又はＳ−ＧＷに対応しており、３Ｇ  ＵＭＴＳ標準におけるＳＧＳＮ又はＧＧＳＮに対応しており、そして、５ＧにおけるＮＧ−Ｃｏｒｅに対応していてもよい。
【００５５】
ＲＡＮデバイスは、端末デバイスへの接続を確立し、端末デバイスからデータを受信し、データをコア・ネットワークデバイスへ送信する。ＲＡＮは、異なるシステムにおける異なるデバイスに対応している。例えば、ＲＡＮデバイスは、２Ｇ  ＧＳＭ標準における基地局及び基地局コントローラに対応しており、３Ｇ  ＵＭＴＳ標準における基地局及び無線ネットワークコントローラ（Radio  Network  Controller，ＲＮＣ）に対応しており、４Ｇ  ＬＴＥ標準におけるｅＮＢに対応しており、そして、ＮＧ−ＮＢ又はＧ−ＮＢなどの、５Ｇにおける５Ｇアクセスネットワークデバイスに対応している。
【００５６】
端末は、特に、ユーザに対して音声及び／又はデータ接続を提供するデバイス（device）であり、無線端末又は有線端末であってよい。無線端末は、無線接続機能を備えた手持ち式デバイス、又は無線モデムへ接続される他の処理デバイスであってよく、あるいは、無線アクセスネットワークを通じて１つ以上のコア・ネットワークと通信するモバイル端末であってもよい。例えば、無線端末は、携帯電話機（“セルラー”ホンとも呼ばれる。）、及びモバイル端末を伴うコンピュータであってよい。他の例として、無線端末は、代替的に、携帯型、ポケットサイズ、手持ち式、コンピュータ組込型、又は車載型のモバイル装置であってもよい。更なる他の例として、無線端末は、移動局（Mobile  Station）、アクセス・ポイント（Access  Point）、ユーザ機器（User  Equipment，略してＵＥ）、などの一部分であってもよい。端末デバイスは、ネットワークデバイス（無線アクセスネットワークデバイス又はコア・ネットワークデバイス）と協働することによって、ユーザに対して通信サービスを提供することができる。
【００５７】
図１に示されるように、ＲＡＮデバイスは、アンカーＲＡＮデバイス、ＲＡＮデバイス１、及びＲＡＮデバイス２を含み得る。アンカーＲＡＮは、軽接続モードにおいて、端末デバイスとコア・ネットワークとの間の接続を保ち、アンカーＲＡＮはまた、端末デバイスのコンテクスト情報を保持する。
【００５８】
図１に示されるように、端末デバイス１のコンテクスト情報、及びＣＮインターフェイスは、アンカーＲＡＮデバイスで保持される。端末デバイス１及びアンカーＲＡＮデバイスが同じページングエリアに位置している場合に、端末デバイス１は、ページングエリア内のどのＲＡＮデバイスにも通知せずに、ページングエリア内を任意に移動し得る。例えば、端末デバイス１は、図１に示される左のページングエリアに位置している。ページングエリアは、１つ以上のＲＡＮデバイスによって管理されているセルの組を含み得る。端末デバイス１及びアンカーＲＡＮデバイスが異なるページングエリアに位置している場合に、例えば、図１に示される端末デバイス１が図１の右のページングエリア内に移動する場合に、端末デバイス１は、ページングエリアを変更した後に相応してアンカーＲＡＮデバイスを変更する必要があり、すなわち、図１に示されるＲＡＮデバイス２をアンカーＲＡＮデバイスとして使用する。
【００５９】
本発明の実施形態における接続解放方法でのネットワークエンティティは、図１に示されているコア・ネットワークデバイス、アンカーＲＡＮデバイス、ＲＡＮデバイス１、及び端末デバイス１であってよい。アンカーＲＡＮデバイス又はコア・ネットワークデバイスが軽接続モードでの端末デバイスの接続を解放する必要がある場合に、端末デバイスは、本発明の実施形態における接続解放方法を使用することによって端末デバイスの接続を安全に且つ速やかに解放する。
【００６０】
本発明の実施形態における「第１アクセスネットワークデバイス」は、特に、端末デバイスのコンテクスト情報を保持しているアクセスネットワークデバイスであり、図１に示されているアンカーＲＡＮデバイスであってよい。実施形態における「第２アクセスネットワークデバイス」は、特に、第１アクセスネットワークデバイスによって端末デバイスに割り当てられている識別情報及び端末デバイスのページングエリア情報を保持しているアクセスネットワークデバイスである。識別情報は、特に、端末デバイスの識別情報と、第１アクセスネットワークデバイスの識別情報とを含み得る。第２アクセスネットワークデバイスは、図１に示されているＲＡＮデバイス１であってよい。ページング段階では、端末デバイスが軽接続モードにあるページングエリアにおいて、第１アクセスネットワークデバイスを除く全てのＲＡＮデバイスが第２アクセスネットワークデバイスである。端末デバイスがアクセスを実行した後は、端末デバイスからページング応答を受信するＲＡＮデバイスが第２アクセスネットワークデバイスである。
【００６１】
図２は、本発明の実施形態に従う接続解放方法のフローチャートである。図２に示されるように、この実施形態における方法は、次のステップを含むことができる。
【００６２】
ステップ１０１：第１アクセスネットワークデバイスが第１メッセージを生成する。
【００６３】
第１メッセージは、端末デバイスのための接続解放情報と、検証情報とを含み、検証情報は、接続解放情報が有効であるかどうかを確かめるために使用され、接続解放情報は、接続を解放するように端末デバイスに指示するために使用される。
【００６４】
具体的に、端末デバイスの接続が解放される必要があると第１アクセスネットワークデバイスが決定する場合に、第１アクセスネットワークデバイスは第１メッセージを生成し得る。検証情報は、特に、端末デバイスへ供給され、それにより、端末デバイスは、接続解放情報を送信するネットワークデバイス（例えば、この実施形態における第１アクセスネットワークデバイス）が妥当であるかどうかを検証情報に基づき確かめる。端末デバイスは、検証情報に基づき検証を実行し、それにより、偽の基地局などの、権限のないネットワークデバイスによって引き起こされる安全性の問題は、効果的に回避され得る。
【００６５】
例えば、かなり長い間第１アクセスネットワークデバイスと端末デバイスとの間でデータが送信されていない場合に、第１アクセスネットワークデバイスは、ネットワークリソース利用を改善するために、端末デバイスの接続が解放される必要があると決定する。確かに、端末デバイスの接続が解放される必要があるとコア・ネットワークデバイスが決定してもよいと理解され得る。端末デバイスの接続が解放される必要があるとコア・ネットワークデバイスが決定する場合に、コア・ネットワークデバイスは解放命令メッセージを第１アクセスネットワークデバイスへ送信することができ、それにより、第１アクセスネットワークデバイスは第１メッセージを生成する。
【００６６】
具体的に、検証情報は、端末デバイスのキー及び端末デバイスのコンテクスト情報に基づき第１アクセスネットワークデバイスによって生成され得る。検証情報は、代替的に、他の方法で生成されてもよいと理解され得る。実現可能な実施において、第１アクセスネットワークデバイスは、端末デバイスの識別情報及び端末デバイスのキー情報に対して演算を実行し、演算結果を検証情報として使用し得る。
【００６７】
ステップ１０２：第１アクセスネットワークデバイスが第１メッセージを第２アクセスネットワークデバイスへ送信する。
【００６８】
第２アクセスネットワークデバイスは、第１アクセスネットワークデバイスによって送信された第１メッセージを受信する。
【００６９】
ステップ１０３：第２アクセスネットワークデバイスが第２メッセージを送信する。
【００７０】
第２メッセージは、端末デバイスのための接続解放情報と、検証情報とを含み、検証情報は、接続解放情報が有効であるかどうかを確かめるために使用され、接続解放情報は、接続を解放するように端末デバイスに指示するために使用される。
【００７１】
具体的に、第１メッセージに含まれる端末デバイスのための接続解放情報及び検証情報は、第２メッセージに含まれるものと同じであってよい。
【００７２】
ステップ１０４：第２アクセスネットワークデバイスが第２メッセージを端末デバイスへ送信する。
【００７３】
端末デバイスは、第２アクセスネットワークデバイスによって送信された第２メッセージを受信する。
【００７４】
ステップ１０５：端末デバイスが、検証情報に基づき、接続解放情報が有効であるかどうかを判定する。
【００７５】
接続解放情報が有効である場合には、端末デバイスは接続を解放する。端末デバイスは、具体的に、次の実施で接続を解放することができる。端末デバイスは、保持されている接続設定関連コンテクスト情報を削除し、アイドル（Idle）モードへ切り替わる。接続解放情報が有効でない場合には、端末デバイスは接続解放情報を捨てる。具体的に、例えば、端末デバイスは、端末デバイスの身元及び端末デバイスのキーに対して演算を行い、演算結果を検証情報と比較する。演算結果が検証情報と一致する場合には、接続解放情報が有効であると見なされ、あるいは、そうでない場合には、接続解放情報は有効でないと見なされる。
【００７６】
第１アクセスネットワークデバイスは、軽接続モード設定メッセージを端末デバイスへ送信し、軽接続モード設定メッセージは識別情報及びページングエリア情報を含み、識別情報は、端末デバイスの識別情報と、第１アクセスネットワークデバイスの識別情報とを含む。
【００７７】
任意の実施では、方法は、端末デバイスがＲＲＣ接続回復要求メッセージを第２アクセスネットワークデバイスへ送信し、第２アクセスネットワークデバイスがＲＲＣ接続回復要求メッセージに基づきコンテクスト情報要求メッセージを第１アクセスネットワークデバイスへ送信し、第１アクセスネットワークデバイスが第２アクセスネットワークデバイスによって送信されたコンテクスト情報要求メッセージを受信することを更に含んでよい。相応して、ステップ１０２は、具体的に、次のように実施され得る。第１アクセスネットワークデバイスはコンテクスト情報応答メッセージを第２アクセスネットワークデバイスへ送信し、コンテクスト情報応答メッセージが接続解放情報及び検証情報を含む。
【００７８】
他の任意の実施では、ステップ１０２は、具体的に、次のように実施され得る。第１アクセスネットワークデバイスはページングメッセージを第２アクセスネットワークデバイスへ送信し、ページングメッセージが接続解放情報及び検証情報を含む。ステップ１０４は、具体的に、次のように実施され得る。第２アクセスネットワークデバイスはページングメッセージを端末デバイスへ送信し、ページングメッセージが接続解放情報及び検証情報を含む。
【００７９】
任意に、第１メッセージはフィードバック指示情報を更に含み、フィードバック指示情報は、接続解放情報が受信されるかどうかを第１アクセスネットワークデバイスへフィードバックするように端末デバイスに指示するために使用される。
【００８０】
任意に、第２メッセージはフィードバック指示情報を更に含み、フィードバック指示情報は、接続解放情報が受信されるかどうかを第２アクセスネットワークデバイスへフィードバックするように端末デバイスに指示するために使用される。
【００８１】
任意に、端末デバイスは、接続回復要求メッセージを第２アクセスネットワークデバイスへ送信し、接続回復要求メッセージは、接続解放情報が受信されるかどうかを第２アクセスネットワークデバイスへフィードバックするために使用される。
【００８２】
任意に、端末デバイスによって第２アクセスネットワークデバイスへ送信される接続回復要求メッセージは、端末デバイスが接続解放情報を受信することを第２アクセスネットワークデバイスへフィードバックするために接続回復メッセージが使用されることを第２アクセスネットワークデバイスに示すよう、解放命令を搬送する。
【００８３】
この実施形態で、軽接続モードでの端末デバイスの接続が解放される必要がある場合に、第１アクセスネットワークデバイスは、端末デバイスのための接続解放情報と、検証情報とを含む第１メッセージを生成し、第１アクセスネットワークデバイスは第１メッセージを第２アクセスネットワークデバイスへ送信し、第２アクセスネットワークデバイスは、端末デバイスのための接続解放情報と、検証情報とを含む第２メッセージを生成し、第２アクセスネットワークデバイスは第２メッセージを端末デバイスへ送信し、端末デバイスは、検証情報に基づき、接続解放情報が有効であるかどうかを判定し、接続解放情報が有効である場合に、端末デバイスの接続は解放され、それにより、端末デバイスの接続は安全に且つ速やかに解放され得る。
【００８４】
以下は、図２に示されている方法の実施形態の技術的解決法を詳細に記載するために、２つの具体的な実施形態を使用する。コア・ネットワークデバイスがＭＭＥである例が、記載のために使用される。
【００８５】
図３は、本発明の他の実施形態に従う接続解放方法のフローチャートである。この実施形態では、具体的に、接続解放情報及び検証情報は、コンテクスト情報応答メッセージを使用することによって送信される。図３に示されるように、この実施形態における方法は、次のステップを含むことができる。
【００８６】
Ｓ２０１．第１アクセスネットワークデバイスが軽接続モード設定メッセージを端末デバイスへ送信する。
【００８７】
軽接続モード設定メッセージは、識別情報及びページングエリア情報を含む。識別情報は、端末デバイスの識別情報と、第１アクセスネットワークデバイスの識別情報とを含む。
【００８８】
具体的に、ステップ２０１を実行することによって、第１アクセスネットワークデバイスは、端末デバイスに対して、軽接続モードで端末デバイスによって使用される識別情報と、ページングエリアとを割り当て、軽接続モードに入るように端末デバイスを制御し得る。端末デバイスは、ページングエリア内を移動する場合には、第１アクセスネットワークデバイスに通知する必要がない。
【００８９】
Ｓ２０２．第１アクセスネットワークデバイスがページングメッセージを送信する。
【００９０】
具体的に、端末デバイスの接続が解放される必要があると決定する場合に、第１アクセスネットワークデバイスは、ページングエリア内の全てのアクセスネットワークデバイスへページングメッセージを送信し得る。
【００９１】
具体的に、第１アクセスネットワークデバイスは端末デバイスの現在の具体的な位置を決定することができないので、第１アクセスネットワークデバイスは、ページングエリア内で、ページングメッセージを端末デバイスへ送信する必要がある。ページングエリア内のアクセスネットワークデバイスがページングに応答する場合には、端末デバイスのページング応答を受信するアクセスネットワークデバイスが第２アクセスネットワークデバイスである。
【００９２】
Ｓ２０３．端末デバイスがＲＲＣ接続回復要求メッセージを第２アクセスネットワークデバイスへ送信する。
【００９３】
具体的に、ページングメッセージを受信した後、端末デバイスは、ページングメッセージを送信する第２アクセスネットワークデバイスへＲＲＣ接続回復要求メッセージを送信する。ＲＲＣ接続回復要求メッセージは識別情報を含んでよく、識別情報は、端末デバイスの識別情報と、第１アクセスネットワークデバイスの識別情報とを含み、それにより、第２アクセスネットワークデバイスは、識別情報に基づき端末デバイスのための接続を回復する。確かに、第２アクセスネットワークデバイスが識別情報に基づき端末デバイス及び第１アクセスネットワークデバイスを認識することができるという条件で、ＲＲＣ接続回復要求メッセージに含まれる識別情報は、代替的に、端末デバイスの識別情報及び第１アクセスネットワークデバイスの識別情報の各々の部分情報であってよいことが理解され得る。
【００９４】
任意に、ＲＲＣ接続回復要求メッセージは、代替的に、ＲＲＣ接続継続メッセージであってもよい。
【００９５】
Ｓ２０４．第２アクセスネットワークデバイスがコンテクスト情報要求メッセージを第１アクセスネットワークデバイスへ送信する。
【００９６】
Ｓ２０５．第１アクセスネットワークデバイスがコンテクスト情報応答メッセージを第２アクセスネットワークデバイスへ送信する。
【００９７】
コンテクスト情報応答メッセージは、接続解放情報及び検証情報を含む。接続解放情報及び検証情報についての具体的な説明については、ステップ１０１を参照されたい。詳細はここで再度記載されない。
【００９８】
Ｓ２０６．第２アクセスネットワークデバイスが接続解放情報を端末デバイスへ送信する。
【００９９】
第２アクセスネットワークデバイスは、接続解放情報を端末デバイスへ送信すると同時に、検証情報を端末デバイスへ送信する。接続解放情報及び検証情報は、ＲＲＣ接続拒絶メッセージにおいて搬送されてよい。代替的に、ＲＲＣ接続拒絶メッセージは、接続を解放しながら検証情報を端末デバイスへ搬送するように暗黙的に端末デバイスに指示する。代替的に、接続解放情報はＲＲＣ接続解放メッセージであり、ＲＲＣ接続解放メッセージは検証情報を搬送する。
【０１００】
Ｓ２０７．端末デバイスは、検証情報に基づき、接続解放情報が有効であるかどうかを判定し、そして、接続解放情報が有効である場合には、Ｓ２０８を実行し、あるいは、接続解放情報が有効でない場合には、接続解放情報を捨てる。
【０１０１】
Ｓ２０８．端末デバイスが接続を解放する。
【０１０２】
この実施形態で、端末デバイスの接続が解放される必要がある場合に、第１アクセスネットワークデバイスはページングメッセージを送信し、端末デバイスは第２アクセスネットワークデバイスのページングメッセージに応答し、端末デバイスはＲＲＣ接続回復要求メッセージを第２アクセスネットワークデバイスへ送信し、第２アクセスネットワークデバイスは端末デバイスのコンテクスト情報を第１アクセスネットワークデバイスに要求し、第１アクセスネットワークデバイスはコンテクスト情報応答メッセージを第２アクセスネットワークデバイスへ送信し、コンテクスト情報が接続解放情報及び検証情報を含み、第２アクセスネットワークデバイスはＲＲＣ接続拒絶メッセージを端末デバイスへ送信し、端末デバイスは、検証情報に基づき、接続解放情報が有効であるかどうかを判定し、接続解放情報が有効である場合に、端末デバイスは接続を解放する。軽接続モードにある端末デバイスが解放される必要がある場合に、ネットワーク側は端末デバイスの接続を回復する必要がなく、そのため、接続は安全に且つ速やかに解放され得る。
【０１０３】
図４は、本発明の更なる他の実施形態に従う接続解放方法のフローチャートである。図４に示されるように、この実施形態と図３に示されている実施形態との間の相違は、この実施形態では、接続解放情報及び検証情報がページングメッセージを使用することによって送信される点にある。この実施形態における方法は、次のステップを含むことができる。
【０１０４】
Ｓ３０１．第１アクセスネットワークデバイスが軽接続モード設定メッセージを端末デバイスへ送信する。
【０１０５】
ステップ３０１の具体的な説明については、ステップ２０１を参照されたい。詳細は、ここで再度記載されない。
【０１０６】
Ｓ３０２．第１アクセスネットワークデバイスがページングメッセージを送信する。
【０１０７】
具体的に、端末デバイスの接続が解放される必要があると決定する場合に、第１アクセスネットワークデバイスは、ページングエリア内の全てのアクセスネットワークデバイスへページングメッセージを送信し得る。
【０１０８】
具体的に、第１アクセスネットワークデバイスは端末デバイスの現在の具体的な位置を決定することができないので、第１アクセスネットワークデバイスは、ページングエリア内で、ページングメッセージを端末デバイスへ送信する必要がある。ページングエリア内のアクセスネットワークデバイスがページングに応答する場合には、端末デバイスのページング応答を受信するアクセスネットワークデバイスが第２アクセスネットワークデバイスである。
【０１０９】
図３に示されている実施形態とは異なり、ステップ３０２のページングメッセージは、接続解放情報及び検証情報を含む。接続解放情報及び検証情報の具体的な説明については、前述の実施形態を参照されたい。詳細は、ここで再度記載されない。任意に、ページングメッセージは、フィードバック指示情報を更に含んでもよい。フィードバック指示情報は、接続解放情報が受信されるかどうかを第１アクセスネットワークデバイスへフィードバックするように端末デバイスに指示するために使用され、それにより、第１アクセスネットワークデバイスは、端末が接続解放情報を受信することを確認する。
【０１１０】
Ｓ３０３．端末デバイスは、検証情報に基づき、接続解放情報が有効であるかどうかを判定し、接続解放情報が有効である場合には、Ｓ３０４を実行する。
【０１１１】
Ｓ３０４．端末デバイスが第１解放承認メッセージを第２アクセスネットワークデバイスへ送信する。
【０１１２】
第１解放承認メッセージは、ＲＲＣ接続回復要求メッセージを使用することによって送信され得る。
【０１１３】
ＲＲＣ接続回復要求メッセージは識別情報を含み、識別情報は、端末デバイスの識別情報と、第１アクセスネットワークデバイスの識別情報とを含む。
【０１１４】
更に、端末デバイスによって第２アクセスネットワークデバイスへ送信される接続回復要求メッセージは、端末デバイスが接続解放情報を受信することを第２アクセスネットワークデバイスへフィードバックするために接続回復要求メッセージが使用されることを第２アクセスネットワークデバイスに示すよう、解放命令を搬送する。
【０１１５】
Ｓ３０５．第２アクセスネットワークデバイスが第２解放承認メッセージを第１アクセスネットワークデバイスへ送信する。
【０１１６】
具体的に、第２アクセスネットワークデバイスは、端末デバイスによって送信された識別情報を受け、端末デバイスが接続解放情報を搬送するページングメッセージを受信することを確認し、そして、第２解放承認メッセージを第１アクセスネットワークデバイスへ送信する。第１アクセスネットワークデバイスは、第２解放承認メッセージに基づき端末デバイスのコンテクスト情報を削除し、端末デバイスとコア・ネットワークデバイスとの間の通信インターフェイスを解放し得る。
【０１１７】
Ｓ３０４を実行した後、端末デバイスは、接続を解放して、アイドルモードに入ることができる。
【０１１８】
任意の実施では、ページングメッセージがフィードバック指示情報を搬送する場合には、Ｓ３０４及びＳ３０５を実行することによって、端末デバイスはフィードバックを完了し、接続を解放する。ページングメッセージがフィードバック指示情報を搬送しない場合には、端末デバイスは、Ｓ３０３を実行した後、直接接続を解放する。
【０１１９】
この実施形態で、端末デバイスの接続が解放される必要がある場合に、第１アクセスネットワークデバイスは、ページングメッセージを使用することによって接続解放情報及び検証情報を送信し、端末デバイスは、検証情報に基づき、接続解放情報が有効であるかどうかを判定し、接続解放情報が有効である場合に、端末デバイスは接続を解放する。軽接続モードにある端末デバイスが解放される必要がある場合に、ネットワーク側は、端末デバイスの接続を回復する必要がなく、そのため、接続は安全に且つ速やかに解放され得る。
【０１２０】
図５は、本発明の更なる他の実施形態に従う接続解放方法のフローチャートである。図５に示されるように、この実施形態における方法は、次のステップを含むことができる。
【０１２１】
ステップ４０１：第１アクセスネットワークデバイスが第１メッセージを生成する。
【０１２２】
第１メッセージは、端末デバイスのための接続解放情報と、フィードバック指示情報とを含む。フィードバック指示情報は、接続解放情報が受信されるかどうかを第２アクセスネットワークデバイスへフィードバックするように端末デバイスに指示するために使用され、接続解放情報は、接続を解放するように端末デバイスに指示するために使用される。
【０１２３】
ステップ４０２：第１アクセスネットワークデバイスが第１メッセージを第２アクセスネットワークデバイスへ送信する。
【０１２４】
ステップ４０３：第２アクセスネットワークデバイスが第２メッセージを生成する。
【０１２５】
第２メッセージは、端末デバイスのための接続解放情報と、フィードバック指示情報とを含む。
【０１２６】
ステップ４０４：第２アクセスネットワークデバイスが第２メッセージを端末デバイスへ送信する。
【０１２７】
第１メッセージ及び第２メッセージの両方が、ページングメッセージを使用することによって送信され得る。
【０１２８】
ステップ４０５：端末デバイスは、接続解放情報が受信されるかどうかを、フィードバック指示情報に基づき第２アクセスネットワークデバイスへフィードバックする。
【０１２９】
任意に、ステップ４０５は、具体的に、次のように実施され得る。端末デバイスは、接続回復メッセージを第２アクセスネットワークデバイスへ送信し、接続回復メッセージは、端末デバイスが接続解放情報を受信することを第２アクセスネットワークデバイスへフィードバックするために使用される。
【０１３０】
任意に、端末デバイスが接続回復メッセージを第２アクセスネットワークデバイスへ送信することは、具体的に、次の通りであってよい。端末デバイスによって第２アクセスネットワークデバイスへ送信される接続回復メッセージは、端末デバイスが接続解放情報を受信することを第２アクセスネットワークデバイスへフィードバックするために接続回復メッセージが使用されることを第２アクセスネットワークデバイスに示すよう、解放命令を搬送する。
【０１３１】
任意に、この実施形態における第１メッセージ及び第２メッセージは、検証情報を更に含んでもよい。検証情報の具体的な説明については、図２乃至図４に示されている実施形態の説明を参照されたい。詳細は、ここで再度記載されない。
【０１３２】
この実施形態で、軽接続モードでの端末デバイスの接続が解放される必要がある場合に、第１アクセスネットワークデバイスは第１メッセージを生成し、第１メッセージは、端末デバイスのための接続解放情報と、フィードバック指示情報とを含む。第１アクセスネットワークデバイスは第１メッセージを第２アクセスネットワークデバイスへ送信し、そして、第２アクセスネットワークデバイスは第２メッセージを生成し、第２メッセージは、端末デバイスのための接続解放情報と、フィードバック指示情報とを含む。第２アクセスネットワークデバイスは第２メッセージを端末デバイスへ送信し、そして、端末デバイスは、端末デバイスの接続を安全に且つ速やかに解放し、更には、ネットワーク側が端末デバイスの現在のモードを正確に知ることを確かにするために、接続解放情報が受信されるかどうかを、フィードバック指示情報に基づき第２アクセスネットワークデバイスへフィードバックする。
【０１３３】
図６は、本発明の更なる他の実施形態に従う接続解放方法のフローチャートである。図６に示されるように、この実施形態における第１アクセスネットワークデバイスは、端末デバイスのためのタイマを更に設定する。この実施形態における方法は、次のステップを含むことができる。
【０１３４】
Ｓ５０１．第１アクセスネットワークデバイスが軽接続モード設定メッセージを端末デバイスへ送信する。
【０１３５】
軽接続モード設定メッセージは、識別情報及びページングエリア情報を含むことができる。詳細については、ステップ２０１の記載を参照されたい。この実施形態における軽接続モード設定メッセージはタイマを更に含む。第１アクセスネットワークデバイスは、端末デバイスのためのタイマを更に設定する。タイマは、タイマによって指定された時間長の後にアイドルモードに入るように端末デバイスに指示するよう構成される。
【０１３６】
Ｓ５０２．端末デバイスがＲＲＣ接続回復要求メッセージを第２アクセスネットワークデバイスへ送信する。
【０１３７】
端末デバイスは第２アクセスネットワークデバイスへ移動し、アクセス要求を第２アクセスネットワークデバイスへ送信する。
【０１３８】
Ｓ５０３．第２アクセスネットワークデバイスが端末デバイスのコンテクスト情報を第１アクセスネットワークデバイスに要求する。
【０１３９】
具体的に、第２アクセスネットワークデバイスは、端末デバイスによって報告された識別情報に含まれている第１アクセスネットワークデバイスの識別情報に基づき第１アクセスネットワークデバイスを決定し、端末デバイスの識別情報を第１アクセスネットワークデバイスへ送信し得る。
【０１４０】
Ｓ５０４．第１アクセスネットワークデバイスがコンテクスト情報応答メッセージを第２アクセスネットワークデバイスへ送信する。
【０１４１】
コンテクスト情報応答メッセージは、端末デバイスが軽接続モードにとどまる時間を含み、それにより、第１アクセスネットワークデバイスは、その時間に基づき、端末デバイスが軽接続モードにとどまっている時間を決定する。
【０１４２】
Ｓ５０５．第２アクセスネットワークデバイスは、端末デバイスが軽接続モードにとどまる時間と、端末デバイスがデータを送信する必要があるかどうかとに基づき、接続を解放すべきかどうかを判定する。
【０１４３】
具体的に、端末デバイスがデータ送信不要であり、且つ、端末デバイスが軽接続モードにとどまる時間長がプリセット値に達する場合には、第２アクセスネットワークデバイスは、接続を解放し始め、あるいは、そうでない場合には、接続を維持する。
【０１４４】
Ｓ５０６．第１アクセスネットワークデバイスは、端末デバイスの接続が解放される必要があると決定し、接続解放命令メッセージをＭＭＥへ送信する。
【０１４５】
この実施形態で、第１アクセスネットワークデバイスは、端末デバイスのためのタイマを更に設定し、タイマが切れる場合に接続を解放する。軽接続モードにある端末デバイスが解放される必要がある場合に、ネットワーク側は端末の接続を回復する必要がなく、そのため、接続は安全に且つ速やかに解放され得る。
【０１４６】
図７は、本発明の更なる他の実施形態に従う接続解放方法のフローチャートである。図７に示されるように、前述の実施形態とは異なり、この実施形態の適用シナリオは、端末デバイスが弱ページングカバレッジエリアに位置し、その結果としてページングが失敗に終わるというものである。この実施形態における方法は、次のステップを含むことができる。
【０１４７】
Ｓ６０１．第１アクセスネットワークデバイスが軽接続モード設定メッセージを端末デバイスへ送信する。
【０１４８】
Ｓ６０１の詳細については、Ｓ５０１を参照されたい。詳細は、ここで再度記載されない。
【０１４９】
第１アクセスネットワークデバイスは、端末デバイスの現在の具体的な位置を決定することができず、第１アクセスネットワークデバイスは、ページングエリア内で、ページングを端末デバイスへ送信する必要がある。ページングエリア内に第２アクセスネットワークデバイスがある場合には、第１アクセスネットワークデバイスは、ページングメッセージを第２アクセスネットワークデバイスへ送信する必要があり、それにより、第２アクセスネットワークデバイスは、ページングメッセージを端末デバイスへ送信する。しかし、端末デバイスは、この時、比較的に弱いカバレッジエリアに、例えば、地下に位置し、ネットワーク側のページングに応答することができない。ページングが終了した後、ネットワーク側は、端末デバイスが呼び出し不可能であると決定し、更に接続解放メッセージをコア・ネットワークへ送信する。
【０１５０】
端末デバイスが接続解放メッセージを受信しないので、端末デバイスは依然として軽接続モードにあり、そして、端末デバイスは、最初のステップで設定されたタイマが切れるまでアイドルモードに入る。
【０１５１】
Ｓ６０２．第１アクセスネットワークデバイスが接続解放メッセージをＭＭＥへ送信する。
【０１５２】
接続解放メッセージは第１時間長情報を搬送する。第１アクセスネットワークデバイスは、第１時間長情報をＭＭＥに示す必要があり、第１時間長情報は、特定の時間長を示すために使用され、その特定の時間長の後に、端末デバイスはアイドルモードに入る。第１時間長は、端末デバイスのタイマの時間長から第２時間長を減じることによって求められる。第２時間長は、端末が軽接続モードに入る時点から、第１アクセスネットワークデバイスが接続解放メッセージをＭＭＥへ送信する時点までの時間長である。
【０１５３】
第１時間長情報は、接続解放メッセージにおいて搬送され、コア・ネットワークへ送信されても、あるいは、個別のメッセージを使用することによってコア・ネットワークへ送信されてもよいことが理解され得る。
【０１５４】
Ｓ６０３．ＭＭＥは、第１時間長情報に基づき、端末デバイスがアイドルモードに入ると決定する。
【０１５５】
接続解放メッセージ及び第１時間長情報を受信した後、ＭＭＥは、第１時間長情報に基づき、端末デバイスが第１時間長の後にアイドルモードに入ると決定する。
【０１５６】
この実施形態で、第１アクセスネットワークデバイスは、端末デバイスのためのタイマを更に設定し、タイマが切れる場合に接続を解放する。軽接続モードにある端末デバイスが解放される必要がある場合に、ネットワーク側は端末デバイスの接続を回復する必要がなく、そのため、接続は安全に且つ速やかに解放され得る。その上、コア・ネットワーク側は、端末デバイスのモードを正確に知ることができる。
【０１５７】
図８は、本発明の実施形態に従うアクセスネットワークデバイスの略構造図である。図８に示されるように、この実施形態における装置は、処理モジュール１１と、送信モジュール１２とを含むことができる。処理モジュール１１は、第１メッセージを送信するよう構成され、第１メッセージは、端末デバイスのための接続解放情報と、検証情報とを含み、検証情報は、接続解放情報が有効であるかどうかを確かめるために使用され、接続解放情報は、接続を解放するように端末デバイスに指示するために使用される。送信モジュール１２は、第１メッセージを第２アクセスネットワークデバイスへ送信するよう構成される。
【０１５８】
任意に、送信モジュール１２は更に、軽接続モード設定メッセージを端末デバイスへ送信するよう構成され、軽接続モード設定メッセージは、識別情報及びページングエリア情報を含み、識別情報は、端末デバイスの識別情報と、第１アクセスネットワークデバイスの識別情報とを含む。
【０１５９】
任意に、アクセスネットワークデバイスは受信モジュール１３を更に含むことができる。受信モジュール１３は、第２アクセスネットワークデバイスによって送信されたコンテクスト情報要求メッセージを受信するよう構成される。送信モジュール１２は特に、コンテクスト情報応答メッセージを第２アクセスネットワークデバイスへ送信するよう構成され、コンテクスト情報応答メッセージが接続解放情報及び検証情報を含む。
【０１６０】
任意に、第１メッセージはフィードバック指示情報を更に含み、フィードバック指示情報は、接続解放情報が受信されるかどうかを第２アクセスネットワークデバイスへフィードバックするように端末デバイスに指示するために使用される。
【０１６１】
任意に、送信モジュール１２は特に、ページングメッセージを第２アクセスネットワークデバイスへ送信するよう構成され、ページングメッセージが接続解放情報及び検証情報を含む。
【０１６２】
この実施形態における装置は、図２乃至図４、図６、及び図７における方法の実施形態の技術的解決法を実行するよう構成され得る。その実施原理及び技術的効果は同様であり、詳細はここで再度記載されない。
【０１６３】
図９は、本発明の他の実施形態に従うアクセスネットワークデバイスの略構造図である。図９に示されるように、この実施形態における装置は、受信モジュール２１と、処理モジュール２２と、送信モジュール２３とを含むことができる。受信モジュール２１は、第１アクセスネットワークデバイスによって送信された第１メッセージを受信するよう構成される。処理モジュール２２は、第２メッセージを生成するよう構成され、第２メッセージは、端末デバイスのための接続解放情報と、検証情報とを含み、検証情報は、接続解放情報が有効であるかどうかを確かめるよう構成され、接続解放情報は、接続を解放するように端末デバイスに指示するために使用される。送信モジュール２３は、第２メッセージを端末デバイスへ送信するよう構成される。
【０１６４】
任意に、受信モジュール２１は更に、端末デバイスによって送信された無線リソース制御ＲＲＣ接続回復要求メッセージを受信するよう構成される。処理モジュール２２は更に、ＲＲＣ接続回復要求メッセージに基づき、コンテクスト情報要求メッセージを、送信器を使用することによって第１アクセスネットワークデバイスへ送信するよう構成される。受信モジュール２１が第１アクセスネットワークデバイスによって送信された第１メッセージを受信するよう構成されることは、第１アクセスネットワークデバイスによって送信されたコンテクスト情報応答メッセージを受信することを含み、コンテクスト情報応答メッセージは接続解放情報及び検証情報を含む。
【０１６５】
任意に、第２メッセージはフィードバック指示情報を更に含み、フィードバック指示情報は、接続解放情報が受信されるかどうかをフィードバックするように端末デバイスに指示するために使用される。
【０１６６】
任意に、送信モジュール２３は特に、ページングメッセージを端末デバイスへ送信するよう構成され、ページングメッセージは、接続解放情報、検証情報、及びフィードバック指示情報を含む。
【０１６７】
この実施形態における装置は、図２乃至図４、図６、及び図７における方法の実施形態の技術的解決法を実行するよう構成され得る。その実施原理及び技術的効果は同様であり、詳細はここで再度記載されない。
【０１６８】
図１０は、本発明の実施形態に従う端末デバイスの略構造図である。図１０に示されるように、この実施形態における装置は、受信モジュール３１と、処理モジュール３２とを含むことができる。受信モジュール３１は、第２アクセスネットワークデバイスによって送信された第２メッセージを受信するよう構成され、第２メッセージは、端末デバイスのための接続解放情報と、検証情報とを含み、検証情報は、接続解放情報が有効であるかどうかを確かめるために使用され、接続解放情報は、接続を解放するように端末デバイスに指示するために使用される。処理モジュール３２は、検証情報に基づき、接続解放情報が有効であるかどうかを判定するよう構成される。
【０１６９】
任意に、処理モジュール３２は更に、接続解放情報が有効である場合に、端末デバイスのために、接続を解放するよう構成される。
【０１７０】
任意に、第２メッセージはフィードバック指示情報を更に含み、プロセッサは更に、送信モジュール３３を使用することによってフィードバック指示情報に基づき第２アクセスネットワークデバイスに対して、接続解放情報が受信されるかどうかをフィードバックするよう構成される。
【０１７１】
任意に、受信モジュール３１は特に、第２アクセスネットワークデバイスによって送信されたページングメッセージを受信するよう構成され、ページングメッセージが接続解放情報及び検証情報を含む。
【０１７２】
この実施形態における装置は、図２乃至図４、図６、及び図７における方法の実施形態の技術的解決法を実行するよう構成され得る。その実施原理及び技術的効果は同様であり、詳細はここで再度記載されない。
【０１７３】
本発明の更なる他の実施形態におけるアクセスネットワークデバイスは、速やかに接続を解放することができる。アクセスネットワークデバイスの具体的な略構造図は、図８に示されている構造図と同じである。詳細については、図８を参照されたい。この実施形態におけるアクセスネットワークデバイスによって接続を速やかに解放する過程で、処理モジュール１１は、第１メッセージを生成するよう構成され、第１メッセージは、端末デバイスのための接続解放情報と、フィードバック指示情報とを含み、フィードバック指示情報は、接続解放情報が受信されるかどうかを第２アクセスネットワークデバイスへフィードバックするように端末デバイスに指示するために使用され、接続解放情報は、接続を解放するように端末デバイスに指示するために使用され、送信モジュール１２は、第１メッセージを第２アクセスネットワークデバイスへ送信するよう構成される。
【０１７４】
任意に、第１メッセージは検証情報を更に含み、検証情報は、接続解放情報が有効であるかどうかを確かめるために使用される。
【０１７５】
この実施形態における装置は、図５における方法の実施形態の技術的解決法を実行するよう構成され得る。その実施原理及び技術的効果は同様であり、詳細はここで再度記載されない。
【０１７６】
本発明の更なる他の実施形態におけるアクセスネットワークデバイスは、速やかに接続を解放することができる。アクセスネットワークデバイスの具体的な略構造図は、図９に示されている構造図と同じである。詳細については、図９を参照されたい。この実施形態におけるアクセスネットワークデバイスによって接続を速やかに解放する過程で、受信モジュール２１は、第１アクセスネットワークデバイスによって送信された第１メッセージを受信するよう構成され、処理モジュール２２は、第２メッセージを生成するよう構成され、第２メッセージは、端末デバイスのための接続解放情報と、フィードバック指示情報とを含み、フィードバック指示情報は、接続解放情報が受信されるかどうかを第２アクセスネットワークデバイスへフィードバックするように端末デバイスに指示するために使用され、接続解放情報は、接続を解放するように端末デバイスに指示するために使用され、送信モジュール２３は、第２メッセージを端末デバイスへ送信するよう構成される。
【０１７７】
任意に、第１メッセージは検証情報を更に含み、検証情報は、接続解放情報が有効であるかどうかを確かめるために使用される。
【０１７８】
この実施形態における装置は、図５における方法の実施形態の技術的解決法を実行するよう構成され得る。その実施原理及び技術的効果は同様であり、詳細はここで再度記載されない。
【０１７９】
本発明の更なる他の実施形態における端末デバイスは、速やかに接続を解放することができる。端末デバイスの具体的な略構造図は、図１０に示されている構造図と同じである。詳細については、図１０を参照されたい。この実施形態における端末デバイスによって接続を速やかに解放する過程で、受信モジュール３１は、第２アクセスネットワークデバイスによって送信された第２メッセージを受信するよう構成され、第２メッセージは、端末デバイスのための接続解放情報と、フィードバック指示情報とを含み、処理モジュール３２は、送信器を使用することによってフィードバック指示情報に基づき第２アクセスネットワークデバイスに対して、接続解放情報が受信されるかどうかをフィードバックするよう構成される。
【０１８０】
任意に、受信モジュール３１は特に、第２アクセスネットワークデバイスによって送信されたページングメッセージを受信するよう構成され、ページングメッセージが接続解放情報及びフィードバック指示情報を含む。
【０１８１】
この実施形態における装置は、図５における方法の実施形態の技術的解決法を実行するよう構成され得る。その実施原理及び技術的効果は同様であり、詳細はここで再度記載されない。
【０１８２】
本発明の実施形態における受信モジュール１３は、アクセスネットワークデバイスの受信器に対応しても、あるいは、アクセスネットワークデバイスのトランシーバに対応してもよいことが留意されるべきである。送信モジュール１２は、アクセスネットワークデバイスの送信器に対応しても、あるいは、アクセスネットワークデバイスのトランシーバに対応してもよい。処理モジュール１１は、アクセスネットワークデバイスのプロセッサに対応してよい。ここでのプロセッサは、中央演算処理装置（Central  Processing  Unit，ＣＰＵ）、又は特定用途向け集積回路（Application  Specific  Integrated  Circuit，ＡＳＩＣ）、又は本発明の実施形態を実装する１つ以上の集積回路であってよい。アクセスネットワークデバイスはメモリを更に含んでもよい。メモリは、命令コードを記憶するよう構成される。プロセッサは、本発明の実施形態における受信モジュール１３及び送信モジュール１２を制御して前述の動作を実行するように、メモリから命令コードを呼び出す。
【０１８３】
本発明の実施形態における送信モジュール２３は、アクセスネットワークデバイスの送信器に対応しても、あるいは、アクセスネットワークデバイスのトランシーバに対応してもよい。受信モジュール２１は、アクセスネットワークデバイスの受信器に対応しても、あるいは、アクセスネットワークデバイスのトランシーバに対応してもよい。処理モジュール２２は、アクセスネットワークデバイスのプロセッサに対応してよい。ここでのプロセッサは、ＣＰＵ、又はＡＳＩＣ、又は本発明の実施形態を実装する１つ以上の集積回路であってよい。アクセスネットワークデバイスはメモリを更に含んでもよい。メモリは、命令コードを記憶するよう構成される。プロセッサは、本発明の実施形態における送信モジュール２３及び受信モジュール２１を制御して前述の動作を実行するように、メモリから命令コードを呼び出す。
【０１８４】
本発明の実施形態における送信モジュール３３は、端末デバイスの送信器に対応しても、あるいは、アクセスネットワークデバイスのトランシーバに対応してもよい。受信モジュール３１は、アクセスネットワークデバイスの受信器に対応しても、あるいは、アクセスネットワークデバイスのトランシーバに対応してもよい。処理モジュール３２は、アクセスネットワークデバイスのプロセッサに対応してよい。ここでのプロセッサは、ＣＰＵ、又はＡＳＩＣ、又は本発明の実施形態を実装する１つ以上の集積回路であってよい。アクセスネットワークデバイスはメモリを更に含んでもよい。メモリは、命令コードを記憶するよう構成される。プロセッサは、本発明の実施形態における送信モジュール３３及び受信モジュール３１を制御して前述の動作を実行するように、メモリから命令コードを呼び出す。
【０１８５】
本発明で提供されるいくつかの実施形態において、開示されている装置及び方法は他の様態で実施されてもよいことが理解されるべきである。例えば、記載されている装置の実施形態は一例にすぎない。例えば、ユニット分割は論理的な機能分割にすぎず、実際の実施では他の分割であってもよい。例えば、複数のユニット又はコンポーネントが他のシステムに結合又は一体化されてよく、あるいは、いくつかの機能が無視されるか又は実行されなくてもよい。その上、表示又は議論されている相互結合又は直接的な結合若しくは通信接続は、いくつかのインターフェイスを通じて実施されてもよい。装置又はユニット間の間接的な結合又は通信接続は、電気的な、機械的な、又は他の形式で実施されてもよい。
【０１８６】
別個の部分として記載されているユニットは、物理的に分離していてもしていなくてもよく、ユニットとして表示されている部分は、物理的なユニットであってもなくてもよく、一か所に位置しても、あるいは、複数のネットワークユニット上に分布してもよい。ユニットの一部又は全ては、実施形態の解決法の目的を達成するように実際の要件に基づき選択され得る。
【０１８７】
加えて、本発明の実施形態における機能ユニットは、１つの処理ユニットに一体化されてもよく、あるいは、ユニットの夫々は、物理的に単独で存在してもよく、あるいは、２つ以上のユニットが１つのユニットにまとめられる。一体化されたユニットは、ハードウェアの形で実施されても、あるいは、ソフトウェア機能ユニットに加えてハードウェアの形で実施されてもよい。
【０１８８】
上記の一体化されたユニットがソフトウェア機能ユニットの形で実施される場合に、一体化されたユニットはコンピュータ可読記憶媒体に記憶されてもよい。ソフトウェア機能ユニットは記憶媒体に記憶され、本発明の実施形態で記載されている方法のステップのいくつかを実行するようにコンピュータ装置（パーソナル・コンピュータ、サーバ、ネットワークデバイス、などであってよい。）又はプロセッサ（processor）に指示するためのいくつかの命令を含む。上記の記憶媒体は、ＵＳＢフラッシュ・ドライブ、リムーバブル・ハード・ディスク、リード・オンリー・メモリ（Read-Only  Memory，ＲＯＭ）、ランダム・アクセス・メモリ（Random  Access  Memory，ＲＡＭ）、磁気ディスク、又は光ディスクなどの、プログラムコードを記憶することができる如何なる媒体も含む。
【０１８９】
便宜上、且つ、簡潔さのために、上記の機能モジュールの分割は、単に、説明のための例と見なされることが当業者によって明らかに理解され得る。実際の適用では、上記の機能は、異なる機能モジュールに割り当てられ、必要に応じて実施され得る。すなわち、装置の内部構造は、上記の機能の全て又は一部を実施するよう、異なる機能モジュールに分割される。上記の装置の詳細な作動プロセスについては、前述の方法の実施形態における対応するプロセスを参照されたい。詳細は、ここで再度記載されない。
【図１】
2020505878.tif 000003
【図２】
2020505878.tif 000004
【図３】
2020505878.tif 000005
【図４】
2020505878.tif 000006
【図５】
2020505878.tif 000007
【図６】
2020505878.tif 000008
【図７】
2020505878.tif 000009
【図８】
2020505878.tif 000010
【図９】
2020505878.tif 000011
【図１０】
2020505878.tif 000012
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
接続解放方法であって、
第１アクセスネットワークデバイスによって第１メッセージを生成し、該第１メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記第１アクセスネットワークデバイスによって前記第１メッセージを第２アクセスネットワークデバイスへ送ることと
を有する方法。
【請求項２】
当該方法は、前記第１アクセスネットワークデバイスによって軽接続モード設定メッセージを前記端末デバイスへ送ることを更に有し、
前記軽接続モード設定メッセージは、識別情報及びページングエリア情報を有し、前記識別情報は、前記端末デバイスの識別情報と、前記第１アクセスネットワークデバイスの識別情報とを有する、
請求項１に記載の方法。
【請求項３】
当該方法は、前記第１アクセスネットワークデバイスによって、前記第２アクセスネットワークデバイスによって送られたコンテクスト情報要求メッセージを受けることを更に有し、
前記第１アクセスネットワークデバイスによって前記第１メッセージを第２アクセスネットワークデバイスへ送ることは、前記第１アクセスネットワークデバイスによってコンテクスト情報応答メッセージを前記第２アクセスネットワークデバイスへ送ることを有し、
前記コンテクスト情報応答メッセージが、前記接続解放情報及び前記検証情報を有する、
請求項１又は２に記載の方法。
【請求項４】
前記第１アクセスネットワークデバイスによって前記第１メッセージを第２アクセスネットワークデバイスへ送ることは、前記第１アクセスネットワークデバイスによってページングメッセージを前記第２アクセスネットワークデバイスへ送ることを有し、
前記ページングメッセージが、前記接続解放情報及び前記検証情報を有する、
請求項１に記載の方法。
【請求項５】
接続解放方法であって、
第２アクセスネットワークデバイスによって、第１アクセスネットワークデバイスによって送られた第１メッセージを受けることと、
前記第２アクセスネットワークデバイスによって第２メッセージを生成し、該第２メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記第２アクセスネットワークデバイスによって前記第２メッセージを前記端末デバイスへ送ることと
を有する方法。
【請求項６】
当該方法は、
前記第２アクセスネットワークデバイスによって、前記端末デバイスによって送られた無線リソース制御（ＲＲＣ）接続回復要求メッセージを受けることと、
前記第２アクセスネットワークデバイスによって、前記ＲＲＣ接続回復要求メッセージに応答して、コンテクスト情報要求メッセージを前記第１アクセスネットワークデバイスへ送ることと
を更に有し、
第２アクセスネットワークデバイスによって、第１アクセスネットワークデバイスによって送られた第１メッセージを受けることは、前記第２アクセスネットワークデバイスによって、前記第１アクセスネットワークデバイスによって送られたコンテクスト情報応答メッセージを受けることを有し、
前記コンテクスト情報応答メッセージが、前記接続解放情報及び前記検証情報を有する、
請求項５に記載の方法。
【請求項７】
前記第２アクセスネットワークデバイスによって前記第２メッセージを前記端末デバイスへ送ることは、前記第２アクセスネットワークデバイスによってページングメッセージを前記端末デバイスへ送ることを有し、
前記ページングメッセージが、前記接続解放情報及び前記検証情報を有する、
請求項６に記載の方法。
【請求項８】
接続解放方法であって、
端末デバイスによって、第２アクセスネットワークデバイスによって送られた第２メッセージを受け、該第２メッセージは、前記端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、ことと、
前記端末デバイスによって、前記検証情報に基づき、前記接続解放情報が有効であるかどうかを判定することと
を有する方法。
【請求項９】
当該方法は、前記接続解放情報が有効である場合に、前記端末デバイスによって前記接続を解放することを更に有する、
請求項８に記載の方法。
【請求項１０】
端末デバイスによって、第２アクセスネットワークデバイスによって送られた第２メッセージを受けることは、前記端末デバイスによって、前記第２アクセスネットワークデバイスによって送られたページングメッセージを受けることを有し、
前記ページングメッセージが、前記接続解放情報及び前記検証情報を有する、
請求項９に記載の方法。
【請求項１１】
アクセスネットワークデバイスであって、
第１メッセージを生成するよう構成されるプロセッサであり、前記第１メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、前記プロセッサと、
前記第１メッセージを第２アクセスネットワークデバイスへ送るよう構成される送信器と
を有するアクセスネットワークデバイス。
【請求項１２】
前記送信器は更に、軽接続モード設定メッセージを前記端末デバイスへ送るよう構成され、
前記軽接続モード設定メッセージは、識別情報及びページングエリア情報を有し、前記識別情報は、前記端末デバイスの識別情報と、当該アクセスネットワークデバイスの識別情報とを有する、
請求項１１に記載のアクセスネットワークデバイス。
【請求項１３】
当該アクセスネットワークデバイスは、受信器を更に有し、
前記受信器は、前記第２アクセスネットワークデバイスによって送られたコンテクスト情報要求メッセージを受けるよう構成され、
前記送信器は特に、コンテクスト情報応答メッセージを前記第２アクセスネットワークデバイスへ送るよう構成され、
前記コンテクスト情報応答メッセージが、前記接続解放情報及び前記検証情報を有する、
請求項１１又は１２に記載のアクセスネットワークデバイス。
【請求項１４】
前記送信器は特に、ページングメッセージを前記第２アクセスネットワークデバイスへ送るよう構成され、
前記ページングメッセージが、前記接続解放情報及び前記検証情報を有する、
請求項１１に記載のアクセスネットワークデバイス。
【請求項１５】
アクセスネットワークデバイスであって、
第１アクセスネットワークデバイスによって送られた第１メッセージを受けるよう構成される受信器と、
第２メッセージを生成するよう構成されるプロセッサであり、前記第２メッセージは、端末デバイスのための接続解放情報と、検証情報とを有し、該検証情報は、前記接続解放情報が有効であるかどうかを確かめるために使用され、前記接続解放情報は、接続を解放するように前記端末デバイスに指示するために使用される、前記プロセッサと、
前記第２メッセージを前記端末デバイスへ送るよう構成される送信器と
を有するアクセスネットワークデバイス。
【請求項１６】
前記受信器は更に、前記端末デバイスによって送られた無線リソース制御（ＲＲＣ）接続回復要求メッセージを受けるよう構成され、
前記プロセッサは更に、前記ＲＲＣ接続回復要求メッセージに応答して、コンテクスト情報要求メッセージを、前記送信器を使用することによって前記第１アクセスネットワークデバイスへ送るよう構成され、
前記受信器は特に、前記第１アクセスネットワークデバイスによって送られたコンテクスト情報応答メッセージを受けるよう構成され、
前記コンテクスト情報応答メッセージが、前記接続解放情報及び前記検証情報を有する、
請求項１５に記載のアクセスネットワークデバイス。
【請求項１７】
前記送信器は特に、ページングメッセージを前記端末デバイスへ送るよう構成され、
前記ページングメッセージが、前記接続解放情報及び前記検証情報を有する、
請求項１６に記載のアクセスネットワークデバイス。
【請求項１８】
端末デバイスであって、
第２アクセスネットワークデバイスによって送られた第２メッセージを受けるよう構成される受信器であり、前記第２メッセージは、当該端末デバイスのための接続解放情報と、検証情報とを有し、該検証情報は、前記接続解放情報が有効であるかどうかを確かめるために使用され、前記接続解放情報は、接続を解放するように当該端末デバイスに指示するために使用される、前記受信器と、
前記検証情報に基づき、前記接続解放情報が有効であるかどうかを判定するよう構成されるプロセッサと
を有する端末デバイス。
【請求項１９】
前記プロセッサは更に、前記接続解放情報が有効である場合に、前記接続を解放するよう構成される、
請求項１８に記載の端末デバイス。
【請求項２０】
前記受信器は特に、前記第２アクセスネットワークデバイスによって送られたページングメッセージを受けるよう構成され、
前記ページングメッセージが、前記接続解放情報及び前記検証情報を有する、
請求項１８に記載の端末デバイス。
【請求項２１】
コンピュータによって実行される場合に、該コンピュータに、請求項１乃至４のうちいずれか一項に記載の方法を実行させるプログラム。
【請求項２２】
請求項２１に記載のプログラムが記録されているコンピュータ可読記憶媒体。
【請求項２３】
コンピュータによって実行される場合に、該コンピュータに、請求項５乃至７のうちいずれか一項に記載の方法を実行させるプログラム。
【請求項２４】
請求項２３に記載のプログラムが記録されているコンピュータ可読記憶媒体。
【請求項２５】
請求項１１乃至１４のうちいずれか一項に記載のアクセスネットワークデバイスと、
請求項１５乃至１７のうちいずれか一項に記載のアクセスネットワークデバイスと
を有する通信システム。
【手続補正２】
【補正対象書類名】明細書
【補正対象項目名】０００９
【補正方法】変更
【補正の内容】
【０００９】
第１の態様を参照して、第１の態様の他の可能な実施において、前記第１アクセスネットワークデバイスによって前記第１メッセージを第２アクセスネットワークデバイスへ送ることは、前記第１アクセスネットワークデバイスによってページングメッセージを前記第２アクセスネットワークデバイスへ送ることを含み、前記ページングメッセージが前記接続解放情報及び前記検証情報を含む。
【手続補正３】
【補正対象書類名】明細書
【補正対象項目名】００１０
【補正方法】変更
【補正の内容】
【００１０】
第２の態様によれば、本発明の実施形態は、第１アクセスネットワークデバイスによって第１メッセージを生成し、該第１メッセージは、端末デバイスのための接続解放情報と、フィードバック指示情報とを含み、該フィードバック指示情報は、前記接続解放情報が受け取られるかどうかを第２アクセスネットワークデバイスへフィードバックするように前記端末デバイスに指示するために使用され、前記接続解放情報は、接続を解放するように前記端末デバイスに指示するために使用される、ことと、前記第１アクセスネットワークデバイスによって前記第１メッセージを前記第２アクセスネットワークデバイスへ送ることとを含む接続解放方法を提供する。
【手続補正４】
【補正対象書類名】明細書
【補正対象項目名】００１２
【補正方法】変更
【補正の内容】
【００１２】
第３の態様によれば、本発明の実施形態は、第２アクセスネットワークデバイスによって、第１アクセスネットワークデバイスによって送られた第１メッセージを受けることと、前記第２アクセスネットワークデバイスによって第２メッセージを生成し、該第２メッセージは、端末デバイスのための接続解放情報と、検証情報とを含み、該検証情報は、前記接続解放情報が有効であるかどうかを確かめるために使用され、前記接続解放情報は、接続を解放するように前記端末デバイスに指示するために使用される、ことと、前記第２アクセスネットワークデバイスによって前記第２メッセージを前記端末デバイスへ送ることとを含む接続解放方法を提供する。
【手続補正５】
【補正対象書類名】明細書
【補正対象項目名】００１３
【補正方法】変更
【補正の内容】
【００１３】
第３の態様を参照して、第３の態様の可能な実施において、当該方法は、前記第２アクセスネットワークデバイスによって、前記端末デバイスによって送られた無線リソース制御（ＲＲＣ）接続回復要求メッセージを受けることと、前記第２アクセスネットワークデバイスによって、前記ＲＲＣ接続回復要求メッセージに基づき、コンテクスト情報要求メッセージを前記第１アクセスネットワークデバイスへ送ることとを更に含み、第２アクセスネットワークデバイスによって、第１アクセスネットワークデバイスによって送られた第１メッセージを受けることは、前記第２アクセスネットワークデバイスによって、前記第１アクセスネットワークデバイスによって送られたコンテクスト情報応答メッセージを受けることを含み、前記コンテクスト情報応答メッセージが前記接続解放情報及び前記検証情報を含む。
【手続補正６】
【補正対象書類名】明細書
【補正対象項目名】００２７
【補正方法】変更
【補正の内容】
【００２７】
第７の態様を参照して、第７の態様の可能な実施において、前記送信器は更に、軽接続モード設定メッセージを前記端末デバイスへ送るよう構成され、前記軽接続モード設定メッセージは、識別情報及びページングエリア情報を含み、前記識別情報は、前記端末デバイスの識別情報と、当該アクセスネットワークデバイスの識別情報とを含む。
【手続補正７】
【補正対象書類名】明細書
【補正対象項目名】００３１
【補正方法】変更
【補正の内容】
【００３１】
第８の態様によれば、本発明の実施形態は、アクセスネットワークデバイスであって、第１メッセージを生成するよう構成されるプロセッサであり、前記第１メッセージは、端末デバイスのための接続解放情報と、フィードバック指示情報とを含み、該フィードバック指示情報は、前記接続解放情報が受け取られるかどうかを第２アクセスネットワークデバイスへフィードバックするように前記端末デバイスに指示するために使用され、前記接続解放情報は、接続を解放するように前記端末デバイスに指示するために使用される、前記プロセッサと、前記第１メッセージを前記第２アクセスネットワークデバイスへ送るよう構成される送信器とを含む前記アクセスネットワークデバイスを提供する。
【手続補正８】
【補正対象書類名】明細書
【補正対象項目名】００３４
【補正方法】変更
【補正の内容】
【００３４】
第９の態様を参照して、第９の態様の可能な実施において、前記受信器は更に、前記端末デバイスによって送られた無線リソース制御（ＲＲＣ）接続回復要求メッセージを受けるよう構成され、前記プロセッサは更に、前記ＲＲＣ接続回復要求メッセージに基づき、コンテクスト情報要求メッセージを、前記送信器を使用することによって前記第１アクセスネットワークデバイスへ送るよう構成され、前記受信器は特に、前記第１アクセスネットワークデバイスによって送られたコンテクスト情報応答メッセージを受けるよう構成され、前記コンテクスト情報応答メッセージが前記接続解放情報及び前記検証情報を含む。
【手続補正９】
【補正対象書類名】明細書
【補正対象項目名】００３７
【補正方法】変更
【補正の内容】
【００３７】
第１０の態様によれば、本発明の実施形態は、アクセスネットワークデバイスであって、第１アクセスネットワークデバイスによって送られた第１メッセージを受けるよう構成される受信器と、第２メッセージを生成するよう構成されるプロセッサであり、前記第２メッセージは、端末デバイスのための接続解放情報と、フィードバック指示情報とを含み、該フィードバック指示情報は、前記接続解放情報が受け取られるかどうかを当該アクセスネットワークデバイスへフィードバックするように前記端末デバイスに指示するために使用され、前記接続解放情報は、接続を解放するように前記端末デバイスに指示するために使用される、前記プロセッサと、前記第２メッセージを前記端末デバイスへ送るよう構成される送信器とを含む前記アクセスネットワークデバイスを提供する。
【手続補正１０】
【補正対象書類名】明細書
【補正対象項目名】００４０
【補正方法】変更
【補正の内容】
【００４０】
第１１の態様を参照して、第１１の態様の可能な実施において、前記プロセッサは更に、前記接続解放情報が有効である場合に、前記接続を解放するよう構成される。
【手続補正１１】
【補正対象書類名】明細書
【補正対象項目名】００４１
【補正方法】変更
【補正の内容】
【００４１】
第１１の態様又は第１１の態様の可能な実施を参照して、第１１の態様の他の可能な実施において、前記第２メッセージはフィードバック指示情報を更に含み、前記プロセッサは更に、前記接続解放情報が受け取られるかどうかを、送信器を使用することによって前記フィードバック指示情報に基づき前記第２アクセスネットワークデバイスへフィードバックするよう構成される。
【手続補正１２】
【補正対象書類名】明細書
【補正対象項目名】００４６
【補正方法】変更
【補正の内容】
【００４６】
本発明の実施形態の技術的解決法をより明りょうに記載するよう、以下は、実施形態を記載するために必要とされる添付の図面について簡単に説明する。
【手続補正１３】
【補正対象書類名】明細書
【補正対象項目名】００５３
【補正方法】変更
【補正の内容】
【００５３】
図１は、本発明の実施形態に従う適用シナリオの概略図である。図１に示されるように、この実施形態の適用シナリオは、コア・ネットワークデバイス、無線アクセスネットワーク（Radio  Access  NetWork，ＲＡＮ）デバイス、及び端末デバイスを含み得る。コア・ネットワークデバイスは、ＲＡＮデバイスを通じて端末デバイスへの接続を確立する。
【手続補正１４】
【補正対象書類名】明細書
【補正対象項目名】００５５
【補正方法】変更
【補正の内容】
【００５５】
ＲＡＮデバイスは、端末デバイスへの接続を確立し、端末デバイスからデータを受信し、データをコア・ネットワークデバイスへ送信する。ＲＡＮデバイスは、異なるシステムにおける異なるデバイスに対応している。例えば、ＲＡＮデバイスは、２Ｇ  ＧＳＭ標準における基地局及び基地局コントローラに対応しており、３Ｇ  ＵＭＴＳ標準における基地局及び無線ネットワークコントローラ（Radio  Network  Controller，ＲＮＣ）に対応しており、４Ｇ  ＬＴＥ標準におけるｅＮＢに対応しており、そして、ＮＧ−ＮＢ又はＧ−ＮＢなどの、５Ｇにおける５Ｇアクセスネットワークデバイスに対応している。
【手続補正１５】
【補正対象書類名】明細書
【補正対象項目名】００５７
【補正方法】変更
【補正の内容】
【００５７】
図１に示されるように、ＲＡＮデバイスは、アンカーＲＡＮデバイス、ＲＡＮデバイス１、及びＲＡＮデバイス２を含み得る。アンカーＲＡＮデバイスは、軽接続モードにおいて、端末デバイスとコア・ネットワークとの間の接続を保ち、アンカーＲＡＮデバイスはまた、端末デバイスのコンテクスト情報を保持する。
【手続補正１６】
【補正対象書類名】明細書
【補正対象項目名】００６０
【補正方法】変更
【補正の内容】
【００６０】
本発明の実施形態における「第１アクセスネットワークデバイス」は、特に、端末デバイスのコンテクスト情報を保持しているアクセスネットワークデバイスであり、図１に示されているアンカーＲＡＮデバイスであってよい。実施形態における「第２アクセスネットワークデバイス」は、特に、第１アクセスネットワークデバイスによって端末デバイスに割り当てられている識別情報及び端末デバイスのページングエリア情報を保持しているアクセスネットワークデバイスである。識別情報は、特に、端末デバイスの識別情報と、第１アクセスネットワークデバイスの識別情報とを含み得る。第２アクセスネットワークデバイスは、図１に示されているＲＡＮデバイス１であってよい。ページング段階では、端末デバイスが軽接続モードにあるページングエリアにおいて、第１アクセスネットワークデバイスを除く全てのＲＡＮデバイスが第２アクセスネットワークデバイスである。端末デバイスがアクセスネットワークデバイスにアクセスした後は、端末デバイスからページング応答を受信するＲＡＮデバイスが第２アクセスネットワークデバイスである。
【手続補正１７】
【補正対象書類名】明細書
【補正対象項目名】００７５
【補正方法】変更
【補正の内容】
【００７５】
接続解放情報が有効である場合には、端末デバイスは接続を解放する。端末デバイスは、具体的に、次の実施で接続を解放することができる。端末デバイスは、保持されている接続設定関連コンテクスト情報を削除し、アイドル（Idle）モードへ切り替わる。接続解放情報が有効でない場合には、端末デバイスは接続解放情報を捨てる。具体的に、例えば、端末デバイスは、端末デバイスの身元及び端末デバイスのキーに対して演算を行い、演算結果を検証情報と比較する。演算結果が検証情報と一致する場合には、接続解放情報は有効であり、あるいは、演算結果が検証情報と一致しない場合には、接続解放情報は有効でない。
【手続補正１８】
【補正対象書類名】明細書
【補正対象項目名】００８８
【補正方法】変更
【補正の内容】
【００８８】
具体的に、ステップ２０１を実行することによって、第１アクセスネットワークデバイスは、端末デバイスに対して、軽接続モードで端末デバイスによって使用される識別情報と、ページングエリア情報とを割り当て、軽接続モードに入るように端末デバイスを制御し得る。端末デバイスは、ページングエリア内を移動する場合には、第１アクセスネットワークデバイスに通知する必要がない。
【手続補正１９】
【補正対象書類名】明細書
【補正対象項目名】００９１
【補正方法】変更
【補正の内容】
【００９１】
具体的に、第１アクセスネットワークデバイスは端末デバイスの現在の具体的な位置を決定することができないので、第１アクセスネットワークデバイスは、ページングエリア内で、ページングメッセージを端末デバイスへ送信する必要がある。端末デバイスがページングに応答する場合には、端末デバイスのページング応答を受信するアクセスネットワークデバイスが第２アクセスネットワークデバイスである。
【手続補正２０】
【補正対象書類名】明細書
【補正対象項目名】０１０９
【補正方法】変更
【補正の内容】
【０１０９】
図３に示されている実施形態とは異なり、ステップ３０２のページングメッセージは、接続解放情報及び検証情報を含む。接続解放情報及び検証情報の具体的な説明については、前述の実施形態を参照されたい。詳細は、ここで再度記載されない。任意に、ページングメッセージは、フィードバック指示情報を更に含んでもよい。フィードバック指示情報は、接続解放情報が受信されるかどうかを第１アクセスネットワークデバイスへフィードバックするように端末デバイスに指示するために使用され、それにより、第１アクセスネットワークデバイスは、端末デバイスが接続解放情報を受信することを確認する。
【手続補正２１】
【補正対象書類名】明細書
【補正対象項目名】０１４３
【補正方法】変更
【補正の内容】
【０１４３】
具体的に、端末デバイスがデータ送信不要であり、且つ、端末デバイスが軽接続モードにとどまる時間長がプリセット値に達する場合には、第２アクセスネットワークデバイスは、接続を解放し始め、あるいは、端末デバイスが軽接続モードにとどまる時間長がプリセット値に達しない場合には、接続を維持する。
【手続補正２２】
【補正対象書類名】明細書
【補正対象項目名】０１４９
【補正方法】変更
【補正の内容】
【０１４９】
第１アクセスネットワークデバイスは、端末デバイスの現在の具体的な位置を決定することができず、第１アクセスネットワークデバイスは、ページングエリア内で、ページングメッセージを端末デバイスへ送信する必要がある。ページングエリア内に第２アクセスネットワークデバイスがある場合には、第１アクセスネットワークデバイスは、ページングメッセージを第２アクセスネットワークデバイスへ送信する必要があり、それにより、第２アクセスネットワークデバイスは、ページングメッセージを端末デバイスへ送信する。しかし、端末デバイスは、この時、比較的に弱いカバレッジエリアに、例えば、地下に位置し、ネットワーク側のページングに応答することができない。ページングが終了した後、ネットワーク側は、端末デバイスが呼び出し不可能であると決定し、更に接続解放メッセージをコア・ネットワークへ送信する。
【手続補正２３】
【補正対象書類名】明細書
【補正対象項目名】０１５０
【補正方法】変更
【補正の内容】
【０１５０】
端末デバイスが接続解放メッセージを受信しないので、端末デバイスは依然として軽接続モードにあり、そして、端末デバイスは、最初のステップで設定されたタイマが切れた後にアイドルモードに入る。
【手続補正２４】
【補正対象書類名】明細書
【補正対象項目名】０１６４
【補正方法】変更
【補正の内容】
【０１６４】
任意に、受信モジュール２１は更に、端末デバイスによって送信された無線リソース制御（ＲＲＣ）接続回復要求メッセージを受信するよう構成される。処理モジュール２２は更に、ＲＲＣ接続回復要求メッセージに基づき、コンテクスト情報要求メッセージを、送信モジュール２３を使用することによって第１アクセスネットワークデバイスへ送信するよう構成される。受信モジュール２１は特に、第１アクセスネットワークデバイスによって送信されたコンテクスト情報応答メッセージを受信するよう構成され、コンテクスト情報応答メッセージは接続解放情報及び検証情報を含む。
【手続補正２５】
【補正対象書類名】明細書
【補正対象項目名】０１６９
【補正方法】変更
【補正の内容】
【０１６９】
任意に、処理モジュール３２は更に、接続解放情報が有効である場合に、接続を解放するよう構成される。
【手続補正２６】
【補正対象書類名】明細書
【補正対象項目名】０１７０
【補正方法】変更
【補正の内容】
【０１７０】
任意に、第２メッセージはフィードバック指示情報を更に含み、処理モジュール３２は更に、送信モジュール３３を使用することによってフィードバック指示情報に基づき第２アクセスネットワークデバイスに対して、接続解放情報が受信されるかどうかをフィードバックするよう構成される。
【手続補正２７】
【補正対象書類名】明細書
【補正対象項目名】０１７６
【補正方法】変更
【補正の内容】
【０１７６】
本発明の更なる他の実施形態におけるアクセスネットワークデバイスは、速やかに接続を解放することができる。アクセスネットワークデバイスの具体的な略構造図は、図９に示されている構造図と同じである。詳細については、図９を参照されたい。この実施形態におけるアクセスネットワークデバイスによって接続を速やかに解放する過程で、受信モジュール２１は、第１アクセスネットワークデバイスによって送信された第１メッセージを受信するよう構成され、処理モジュール２２は、第２メッセージを生成するよう構成され、第２メッセージは、端末デバイスのための接続解放情報と、フィードバック指示情報とを含み、フィードバック指示情報は、接続解放情報が受信されるかどうかを当該アクセスネットワークデバイスへフィードバックするように端末デバイスに指示するために使用され、接続解放情報は、接続を解放するように端末デバイスに指示するために使用され、送信モジュール２３は、第２メッセージを端末デバイスへ送信するよう構成される。
【手続補正２８】
【補正対象書類名】明細書
【補正対象項目名】０１７９
【補正方法】変更
【補正の内容】
【０１７９】
本発明の更なる他の実施形態における端末デバイスは、速やかに接続を解放することができる。端末デバイスの具体的な略構造図は、図１０に示されている構造図と同じである。詳細については、図１０を参照されたい。この実施形態における端末デバイスによって接続を速やかに解放する過程で、受信モジュール３１は、第２アクセスネットワークデバイスによって送信された第２メッセージを受信するよう構成され、第２メッセージは、端末デバイスのための接続解放情報と、フィードバック指示情報とを含み、処理モジュール３２は、送信モジュール３３を使用することによってフィードバック指示情報に基づき第２アクセスネットワークデバイスに対して、接続解放情報が受信されるかどうかをフィードバックするよう構成される。
【手続補正２９】
【補正対象書類名】明細書
【補正対象項目名】０１８４
【補正方法】変更
【補正の内容】
【０１８４】
本発明の実施形態における送信モジュール３３は、端末デバイスの送信器に対応しても、あるいは、端末デバイスのトランシーバに対応してもよい。受信モジュール３１は、端末デバイスの受信器に対応しても、あるいは、端末デバイスのトランシーバに対応してもよい。処理モジュール３２は、端末デバイスのプロセッサに対応してよい。ここでのプロセッサは、ＣＰＵ、又はＡＳＩＣ、又は本発明の実施形態を実装する１つ以上の集積回路であってよい。端末デバイスはメモリを更に含んでもよい。メモリは、命令コードを記憶するよう構成される。プロセッサは、本発明の実施形態における送信モジュール３３及び受信モジュール３１を制御して前述の動作を実行するように、メモリから命令コードを呼び出す。
【国際調査報告】
2020505878.tif 000013
2020505878.tif 000014
2020505878.tif 000015
2020505878.tif 000016
2020505878.tif 000017